(57)【要約】  本発明は情報提供方法、装置、プログラム及び記録媒体に関し、無線ネットワーク技術分野に属す。前記方法は、アクセス認証情報が変更されたことを検出した場合、変更後のアクセス認証情報を自動的に取得するステップと、前記変更後のアクセス認証情報に対応する通知待ちデバイスを取得するステップと、前記通知待ちデバイスに前記変更後のアクセス認証情報を提供するステップとを含む。本発明は、変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。【選択図】図２
2017523741.tif 000002
【特許請求の範囲】
【請求項１】
アクセス認証情報が変更されたことを検出した場合、変更後のアクセス認証情報を自動的に取得するステップと、
前記変更後のアクセス認証情報に対応する通知待ちデバイスを取得するステップと、
前記通知待ちデバイスに前記変更後のアクセス認証情報を提供するステップとを含むことを特徴とする情報提供方法。
【請求項２】
前記変更後のアクセス認証情報に対応する通知待ちデバイスを取得するステップは、
本端末と接続するユーザ端末に、現在本端末に接続中のアクセスデバイスのデバイス識別子を含む第１デバイスリストを提供するステップと、
前記ユーザ端末から送信される目標デバイス識別子を受信し、且つ前記目標デバイス識別子に対応するアクセスデバイスを前記通知待ちデバイスとして確定するステップとを含み、
前記目標デバイス識別子は前記ユーザ端末が前記第１デバイスリストから選択したものであることを特徴とする請求項１に記載の情報提供方法。
【請求項３】
前記通知待ちデバイスに前記変更後のアクセス認証情報を提供するステップは、
無線ネットワーク接続を利用して、前記通知待ちデバイスに前記変更後のアクセス認証情報を送信するステップを含み、
前記無線ネットワーク接続は本端末が変更前のアクセス認証情報に基づいて前記通知待ちデバイスと確立したものであることを特徴とする請求項１に記載の情報提供方法。
【請求項４】
前記方法は、更に
少なくとも一つのアクセスデバイスから送信される、前記変更後のアクセス認証情報の受信に成功したことを表示する受信応答を受信するステップと、
前記受信応答を送信するアクセスデバイスと前記通知待ちデバイスに基づいて、前記変更後のアクセス認証情報の受信に失敗した通知待ちデバイスである残り通知待ちデバイスを確定するステップとを含み、
前記少なくとも一つのアクセスデバイスは前記通知待ちデバイスのうちの全部又は一部であることを特徴とする請求項１に記載の情報提供方法。
【請求項５】
前記受信応答を送信するアクセスデバイスと前記通知待ちデバイスに基づいて残り通知待ちデバイスを確定するステップは、
前記受信応答を送信するアクセスデバイスのデバイス識別子と前記通知待ちデバイスのデバイス識別子を比較して、前記残り通知待ちデバイスを確定するステップ、
又は、
前記受信応答を送信するアクセスデバイスのデバイス識別子が含まれた第２デバイスリスト、及び前記通知待ちデバイスのデバイス識別子が含まれた第３デバイスリストをサーバに送信し、前記サーバは前記第２デバイスリストと前記第３デバイスリストを比較して、前記残り通知待ちデバイスを確定し、前記サーバから送信される前記残り通知待ちデバイスのデバイス識別子が含まれた第４デバイスリストを受信するステップを含むことを特徴とする請求項４に記載の情報提供方法。
【請求項６】
前記方法は、更に
目標アクセスデバイスが外部に向けてブロードキャストした、前記目標アクセスデバイスのデバイス識別子が含まれるアクセス要求を取得するステップと、
前記目標アクセスデバイスのデバイス識別子に基づいて、前記目標アクセスデバイスが前記残り通知待ちデバイスに属すか否かを検出するステップと、
前記目標アクセスデバイスが前記残り通知待ちデバイスに属す場合、前記目標アクセスデバイスに前記変更後のアクセス認証情報を送信するステップとを含むことを特徴とする請求項４に記載の情報提供方法。
【請求項７】
前記方法は、更に
前記通知待ちデバイス全てが前記変更後のアクセス認証情報の受信に成功したことを確認した場合、前記変更後のアクセス認証情報を有効にするステップ、
又は、
前記変更後のアクセス認証情報を送信した後の所定時刻に、前記変更後のアクセス認証情報を有効にするステップを含むことを特徴とする請求項１乃至６のいずれかに記載の情報提供方法。
【請求項８】
アクセス認証情報が変更されたことを検出した場合、変更後のアクセス認証情報を自動的に取得する情報取得モジュールと、
前記変更後のアクセス認証情報に対応する通知待ちデバイスを取得するデバイス取得モジュールと、
前記通知待ちデバイスに前記変更後のアクセス認証情報を提供する情報提供モジュールとを備えることを特徴とする情報提供装置。
【請求項９】
前記デバイス取得モジュールは、
本端末と接続するユーザ端末に、現在本端末に接続中のアクセスデバイスのデバイス識別子を含む第１デバイスリストを提供するリスト提供サブモジュールと、
前記ユーザ端末から送信される目標デバイス識別子を受信し、且つ前記目標デバイス識別子に対応するアクセスデバイスを前記通知待ちデバイスとして確定する識別子受信サブモジュールを備え、
前記目標デバイス識別子は前記ユーザ端末が前記第１デバイスリストから選択したものであることを特徴とする請求項８に記載の情報提供装置。
【請求項１０】
前記情報提供モジュールは更に、無線ネットワーク接続を利用して、前記通知待ちデバイスに前記変更後のアクセス認証情報を送信し、
前記無線ネットワーク接続は本端末が変更前のアクセス認証情報に基づいて前記通知待ちデバイスと確立したものであることを特徴とする請求項８に記載の情報提供装置。
【請求項１１】
前記装置は、更に
少なくとも一つのアクセスデバイスから送信される、前記変更後のアクセス認証情報の受信に成功したことを表示する受信応答を受信する応答受信モジュールと、
前記受信応答を送信するアクセスデバイスと前記通知待ちデバイスに基づいて、前記変更後のアクセス認証情報の受信に失敗した通知待ちデバイスである残り通知待ちデバイスを確定する残り確定モジュールとを備え、
前記少なくとも一つのアクセスデバイスは前記通知待ちデバイスのうちの全部又は一部であることを特徴とする請求項８に記載の情報提供装置。
【請求項１２】
前記残り確定モジュールは更に、前記受信応答を送信するアクセスデバイスのデバイス識別子と前記通知待ちデバイスのデバイス識別子を比較して、前記残り通知待ちデバイスを確定し、
又は、
前記残り確定モジュールは、リスト送信サブモジュール及びリスト受信サブモジュールを有し、
前記リスト送信サブモジュールは、前記受信応答を送信するアクセスデバイスのデバイス識別子が含まれた第２デバイスリスト、及び前記通知待ちデバイスのデバイス識別子が含まれた第３デバイスリストをサーバに送信するように配置され、前記サーバは前記第２デバイスリストと前記第３デバイスリストを比較して、前記残り通知待ちデバイスを確定し、
前記リスト受信サブモジュールは、前記サーバから送信される前記残り通知待ちデバイスのデバイス識別子が含まれた第４デバイスリストを受信することを特徴とする請求項１１に記載の情報提供装置。
【請求項１３】
前記装置は、更に
目標アクセスデバイスが外部に向けてブロードキャストした、前記目標アクセスデバイスのデバイス識別子が含まれるアクセス要求を取得する要求取得モジュールと、
前記目標アクセスデバイスのデバイス識別子に基づいて、前記目標アクセスデバイスが前記残り通知待ちデバイスに属すか否かを検出するデバイス検出モジュールと、
前記目標アクセスデバイスが前記残り通知待ちデバイスに属す場合、前記目標アクセスデバイスに前記変更後のアクセス認証情報を送信する情報送信モジュールとを備えることを特徴とする請求項１１に記載の情報提供装置。
【請求項１４】
前記装置は、更に
前記通知待ちデバイス全てが前記変更後のアクセス認証情報の受信に成功したことを確認した場合、前記変更後のアクセス認証情報を有効にする第１有効許可モジュール、
又は、
前記変更後のアクセス認証情報を送信した後の所定時刻に、前記変更後のアクセス認証情報を有効にする第２有効許可モジュールを備えることを特徴とする請求項８乃至１３のいずれかに記載の情報提供装置。
【請求項１５】
プロセッサと、
前記プロセッサが実行可能な指令を記憶するためのメモリとを備え、
前記プロセッサは、
アクセス認証情報が変更されたことを検出した場合、変更後のアクセス認証情報を自動的に取得し、
前記変更後のアクセス認証情報に対応する通知待ちデバイスを取得し、
前記通知待ちデバイスに前記変更後のアクセス認証情報を提供するように構成されることを特徴とする情報提供装置。
【発明の詳細な説明】
【技術分野】
【０００１】
本願は出願番号が２０１５１０２０４７９５．２であって、出願日が２０１５年４月２７日である中国特許出願に基づき、優先権を主張し、当該中国特許出願の全ての内容を本願に引用する。
【０００２】
本発明は無線ネットワーク技術分野に関し、特に情報提供方法及び装置に関する。
【背景技術】
【０００３】
ルータは広く使われるゲートウェイデバイス（Ｇａｔｅｗａｙ  Ｄｅｖｉｃｅ）として、例えば携帯電話、タブレットＰＣ、スマートホームデバイス等のようなアクセスデバイスのために無線ネットワークアクセスサービスを提供する。
【０００４】
アクセスデバイスはルータのアクセス認証情報を取得してこそ、アクセス認証情報を根拠としてルータと無線ネットワーク接続を確立することができる。アクセス認証情報にはルータのＳＳＩＤ（Ｓｅｒｖｉｃｅ  Ｓｅｔ  Ｉｄｅｎｔｉｆｉｅｒ、サービスセット識別子）及びパスワードが含まれる。
【０００５】
ルータのアクセス認証情報が変更されたとき、ユーザは変更後のアクセス認証情報をアクセスデバイスに手動で提供する必要があり、アクセスデバイスが変更後のアクセス認証情報を取得するプロセスが複雑になり、効率が低下する。
【発明の概要】
【発明が解決しようとする課題】
【０００６】
本発明の実施例は情報提供方法及び装置を提供する。前記技術方案は以下の通りである。
【課題を解決するための手段】
【０００７】
本発明の実施例の第１の態様によれば、情報提供方法を提供し、前記方法は、
アクセス認証情報が変更されたことを検出した場合、変更後のアクセス認証情報を自動的に取得するステップと、
前記変更後のアクセス認証情報に対応する通知待ちデバイスを取得するステップと、
前記通知待ちデバイスに前記変更後のアクセス認証情報を提供するステップとを含む。
【０００８】
好ましくは、前記変更後のアクセス認証情報に対応する通知待ちデバイスを取得するステップは、
本端末と接続するユーザ端末に、現在本端末に接続中のアクセスデバイスのデバイス識別子を含む第１デバイスリストを提供するステップと、
前記ユーザ端末から送信される目標デバイス識別子を受信し、且つ前記目標デバイス識別子に対応するアクセスデバイスを前記通知待ちデバイスとして確定するステップとを含み、
前記目標デバイス識別子は前記ユーザ端末が前記第１デバイスリストから選択したものである。
【０００９】
好ましくは、前記通知待ちデバイスに前記変更後のアクセス認証情報を提供するステップは、
無線ネットワーク接続を利用して、前記通知待ちデバイスに前記変更後のアクセス認証情報を送信するステップを含み、
前記無線ネットワーク接続は本端末が変更前のアクセス認証情報に基づいて前記通知待ちデバイスと確立したものである。
【００１０】
好ましくは、前記方法は、更に
少なくとも一つのアクセスデバイスから送信される、前記変更後のアクセス認証情報の受信に成功したことを表示する受信応答を受信するステップと、
前記受信応答を送信するアクセスデバイスと前記通知待ちデバイスに基づいて、前記変更後のアクセス認証情報の受信に失敗した通知待ちデバイスである残り通知待ちデバイスを確定するステップとを含み、
前記少なくとも一つのアクセスデバイスは前記通知待ちデバイスのうちの全部又は一部である。
【００１１】
好ましくは、前記受信応答を送信するアクセスデバイスと前記通知待ちデバイスに基づいて残り通知待ちデバイスを確定するステップは、
前記受信応答を送信するアクセスデバイスのデバイス識別子と前記通知待ちデバイスのデバイス識別子を比較して、前記残り通知待ちデバイスを確定するステップ、
又は、
前記受信応答を送信するアクセスデバイスのデバイス識別子が含まれた第２デバイスリスト、及び前記通知待ちデバイスのデバイス識別子が含まれた第３デバイスリストをサーバに送信し、前記サーバは前記第２デバイスリストと前記第３デバイスリストを比較して、前記残り通知待ちデバイスを確定し、前記サーバから送信される前記残り通知待ちデバイスのデバイス識別子が含まれた第４デバイスリストを受信するステップを含む。
【００１２】
好ましくは、前記方法は、更に
目標アクセスデバイスが外部に向けてブロードキャストした、前記目標アクセスデバイスのデバイス識別子が含まれるアクセス要求を取得するステップと、
前記目標アクセスデバイスのデバイス識別子に基づいて、前記目標アクセスデバイスが前記残り通知待ちデバイスに属すか否かを検出するステップと、
前記目標アクセスデバイスが前記残り通知待ちデバイスに属す場合、前記目標アクセスデバイスに前記変更後のアクセス認証情報を送信するステップとを含む。
【００１３】
好ましくは、前記方法は、更に
前記通知待ちデバイス全てが前記変更後のアクセス認証情報の受信に成功したことを確認した場合、前記変更後のアクセス認証情報を有効にするステップ、
又は、
前記変更後のアクセス認証情報を送信した後の所定時刻に、前記変更後のアクセス認証情報を有効にするステップを含む。
【００１４】
本発明の実施例の第２の態様によれば、情報提供装置を提供し、前記装置は、
アクセス認証情報が変更されたことを検出した場合、変更後のアクセス認証情報を自動的に取得する情報取得モジュールと、
前記変更後のアクセス認証情報に対応する通知待ちデバイスを取得するデバイス取得モジュールと、
前記通知待ちデバイスに前記変更後のアクセス認証情報を提供する情報提供モジュールとを備える。
【００１５】
好ましくは、前記デバイス取得モジュールは、
本端末と接続するユーザ端末に、現在本端末に接続中のアクセスデバイスのデバイス識別子を含む第１デバイスリストを提供するリスト提供サブモジュールと、
前記ユーザ端末から送信される目標デバイス識別子を受信し、且つ前記目標デバイス識別子に対応するアクセスデバイスを前記通知待ちデバイスとして確定する識別子受信サブモジュールを備え、
前記目標デバイス識別子は前記ユーザ端末が前記第１デバイスリストから選択したものである。
【００１６】
好ましくは、前記情報提供モジュールは更に、無線ネットワーク接続を利用して、前記通知待ちデバイスに前記変更後のアクセス認証情報を送信し、
前記無線ネットワーク接続は本端末が変更前のアクセス認証情報に基づいて前記通知待ちデバイスと確立したものである。
【００１７】
好ましくは、前記装置は、更に
少なくとも一つのアクセスデバイスから送信される、前記変更後のアクセス認証情報の受信に成功したことを表示する受信応答を受信する応答受信モジュールと、
前記受信応答を送信するアクセスデバイスと前記通知待ちデバイスに基づいて、前記変更後のアクセス認証情報の受信に失敗した通知待ちデバイスである残り通知待ちデバイスを確定する残り確定モジュールとを備え、
前記少なくとも一つのアクセスデバイスは前記通知待ちデバイスのうちの全部又は一部である。
【００１８】
好ましくは、前前記残り確定モジュールは更に、前記受信応答を送信するアクセスデバイスのデバイス識別子と前記通知待ちデバイスのデバイス識別子を比較して、前記残り通知待ちデバイスを確定し、
又は、
前記残り確定モジュールは、リスト送信サブモジュール及びリスト受信サブモジュールを有し、
前記リスト送信サブモジュールは、前記受信応答を送信するアクセスデバイスのデバイス識別子が含まれた第２デバイスリスト、及び前記通知待ちデバイスのデバイス識別子が含まれた第３デバイスリストをサーバに送信するように配置され、前記サーバは前記第２デバイスリストと前記第３デバイスリストを比較して、前記残り通知待ちデバイスを確定し、
前記リスト受信サブモジュールは、前記サーバから送信される前記残り通知待ちデバイスのデバイス識別子が含まれた第４デバイスリストを受信する。
【００１９】
好ましくは、前記装置は、更に
目標アクセスデバイスが外部に向けてブロードキャストした、前記目標アクセスデバイスのデバイス識別子が含まれるアクセス要求を取得する要求取得モジュールと、
前記目標アクセスデバイスのデバイス識別子に基づいて、前記目標アクセスデバイスが前記残り通知待ちデバイスに属すか否かを検出するデバイス検出モジュールと、
前記目標アクセスデバイスが前記残り通知待ちデバイスに属す場合、前記目標アクセスデバイスに前記変更後のアクセス認証情報を送信する情報送信モジュールとを備える。
【００２０】
好ましくは、前記装置は、更に
前記通知待ちデバイス全てが前記変更後のアクセス認証情報の受信に成功したことを確認した場合、前記変更後のアクセス認証情報を有効にする第１有効許可モジュール、
又は、
前記変更後のアクセス認証情報を送信した後の所定時刻に、前記変更後のアクセス認証情報を有効にする第２有効許可モジュールを備える。
【００２１】
本発明の実施例の第３の態様によれば、情報提供装置を提供し、前記装置は、
プロセッサと、
前記プロセッサが実行可能な指令を記憶するためのメモリとを備え、
前記プロセッサは、
アクセス認証情報が変更されたことを検出した場合、変更後のアクセス認証情報を自動的に取得し、
前記変更後のアクセス認証情報に対応する通知待ちデバイスを取得し、
前記通知待ちデバイスに前記変更後のアクセス認証情報を提供するように構成される。
【発明の効果】
【００２２】
本発明の実施例が提供する技術的方案は下記のような有益な効果を含むことができる。
【００２３】
変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【００２４】
また、一般的な説明及び以下の詳細な説明は単なる例示及び解釈に過ぎず、本発明を限定するものではないことを理解すべきである。
【図面の簡単な説明】
【００２５】
ここで、図面は明細書に取り込まれて明細書の一部を構成し、本発明に合致する実施例を示し、また、明細書と共に本発明の原理の解釈に用いられる。
【００２６】
【図１】本発明のそれぞれの実施例にかかる実施環境の説明図である。
【図２】一つの例示的な実施例にかかる情報提供方法のフローチャートである。
【図３】他の例示的な実施例にかかる情報提供方法のフローチャートである。
【図４】他の例示的な実施例にかかる情報提供方法のフローチャートである。
【図５】一つの例示的な実施例にかかる情報提供装置のブロック図である。
【図６】他の例示的な実施例にかかる情報提供装置のブロック図である。
【図７】一つの例示的な実施例にかかる装置のブロック図である。
【００２７】
上記の図面を通じて、既に本発明の明確な実施例を示しているが、以下において更に詳細に説明する。これらの図面と文字による説明は、如何なる方式においても本発明の思想の範囲を限定するためのものでなく、特定の実施例を参考にすることで当業者に対し本発明の概念を説明するためのものである。
【発明を実施するための形態】
【００２８】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２９】
図１は本発明のそれぞれの実施例にかかる実施環境の説明図である。該実施環境は、ゲートウェイデバイス１２０及び少なくとも一つのアクセスデバイス１４０を含む。
【００３０】
ゲートウェイデバイス１２０とは、複数のネットワーク間においてデータ変換サービスを提供するためのコンピュータシステム或いはデバイスを意味している。ゲートウェイデバイス１２０はルータ、交換機、ファイアウォール又はルータ機能がオンになっているホストであってもよい。本発明の実施例において、ゲートウェイデバイス１２０がルータであることを例として説明を行う。
【００３１】
アクセスデバイス１４０はゲートウェイデバイス１２０と同じＬＡＮ（Ｌｏｃａｌ  Ａｒｅａ  Ｎｅｔｗｏｒｋ）に位置する。アクセスデバイス１４０はゲートウェイデバイス１２０のアクセス認証情報に基づいてゲートウェイデバイス１２０と無線ネットワーク接続を確立する。無線ネットワーク接続はＷｉーＦｉ（Ｗｉｒｅｌｅｓｓ  Ｆｉｄｅｌｉｔｙ）ネットワーク接続である。一般的に、アクセス認証情報にはＳＳＩＤ及び対応するパスワードが含まれる。
【００３２】
また、アクセスデバイス１４０は無線ネットワークアクセス機能を有するいずれの電子デバイスであってよい。例えば、アクセスデバイス１４０は、携帯電話、タブレットＰＣ、電子書籍リーダー、ＰＤＡ（Ｐｅｒｓｏｎａｌ  Ｄｉｇｉｔａｌ  Ａｓｓｉｓｔａｎｔ）のような移動端末デバイスであっても、スマートプラグ（Ｓｍａｒｔ  Ｐｌｕｇ）、スマートカム、スマートテレビ、スマートエアコンのようなスマートホームデバイス、又はスマートブレスレット、スマート腕時計、スマートめがね、スマートヘルメットのようなウェアラブルデバイス等であってもよい。
【００３３】
図２は一つの例示的な実施例にかかる情報提供方法のフローチャートである。該情報提供方法は、図１に示される環境におけるゲートウェイデバイス１２０に適用することができる。該情報提供方法は下記のようないくつかのステップを含むことができる。
【００３４】
ステップ２０２において、アクセス認証情報が変更されたことを検出した場合、変更後のアクセス認証情報を自動的に取得する。
【００３５】
ステップ２０４において、変更後のアクセス認証情報に対応する通知待ちデバイスを取得する。
【００３６】
ステップ２０６において、通知待ちデバイスに変更後のアクセス認証情報を提供する。
【００３７】
好ましくは、変更後のアクセス認証情報に対応する通知待ちデバイスを取得するステップは、
本端末と接続するユーザ端末に、現在本端末に接続中のアクセスデバイスのデバイス識別子を含む第１デバイスリストを提供するステップと、
ユーザ端末から送信される目標デバイス識別子を受信し、且つ目標デバイス識別子に対応するアクセスデバイスを通知待ちデバイスとして確定するステップとを含み、
目標デバイス識別子はユーザ端末が第１デバイスリストから選択したものである。
【００３８】
好ましくは、通知待ちデバイスに変更後のアクセス認証情報を提供するステップは、
無線ネットワーク接続を利用して、通知待ちデバイスに変更後のアクセス認証情報を送信するステップを含み、
無線ネットワーク接続は本端末が変更前のアクセス認証情報に基づいて通知待ちデバイスと確立したものである。
【００３９】
好ましくは、該方法は更に、
少なくとも一つのアクセスデバイスから送信される、変更後のアクセス認証情報の受信に成功したことを表示する受信応答を受信するステップと、
上記受信応答を送信するアクセスデバイスと通知待ちデバイスに基づいて、変更後のアクセス認証情報の受信に失敗した通知待ちデバイスである残り通知待ちデバイスを確定するステップとを含み、
上記少なくとも一つのアクセスデバイスは通知待ちデバイスのうちの全部又は一部である。
【００４０】
好ましくは、上記受信応答を送信するアクセスデバイスと通知待ちデバイスに基づいて残り通知待ちデバイスを確定するステップは、
上記受信応答を送信するアクセスデバイスのデバイス識別子と通知待ちデバイスのデバイス識別子を比較して、残り通知待ちデバイスを確定するステップ、
又は、
上記受信応答を送信するアクセスデバイスのデバイス識別子が含まれた第２デバイスリスト、及び通知待ちデバイスのデバイス識別子が含まれた第３デバイスリストをサーバに送信し、サーバは第２デバイスリストと第３デバイスリストを比較して、残り通知待ちデバイスを確定し、サーバから送信される残り通知待ちデバイスのデバイス識別子が含まれた第４デバイスリストを受信するステップを含む。
【００４１】
好ましくは、該方法は更に、
目標アクセスデバイスが外部に向けてブロードキャストした、目標アクセスデバイスのデバイス識別子が含まれるアクセス要求を取得するステップと、
目標アクセスデバイスのデバイス識別子に基づいて、目標アクセスデバイスが残り通知待ちデバイスに属すか否かを検出するステップと、
目標アクセスデバイスが残り通知待ちデバイスに属す場合、目標アクセスデバイスに変更後のアクセス認証情報を送信するステップとを含む。
【００４２】
好ましくは、該方法は更に、
通知待ちデバイス全てが変更後のアクセス認証情報の受信に成功したことを確認した場合、変更後のアクセス認証情報を有効にするステップ、
又は、
変更後のアクセス認証情報を送信した後の所定時刻に、変更後のアクセス認証情報を有効にするステップを含む。
【００４３】
以上をまとめると、本実施例が提供した情報提供方法は、変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【００４４】
図３は他の例示的な実施例にかかる情報提供方法のフローチャートである。本実施例は該情報提供方法を図１に示される環境におけるゲートウェイデバイス１２０に適用することを例として説明を行う。該情報提供方法は下記のようないくつかのステップを含むことができる。
【００４５】
ステップ３０１において、ゲートウェイデバイスはアクセス認証情報が変更されたことを検出した場合、変更後のアクセス認証情報を自動的に取得する。
【００４６】
変更後のアクセス認証情報には、変更後のＳＳＩＤと変更後のパスワードのうちの少なくとも一つが含まれる。
【００４７】
一つの実施可能な方法において、ゲートウェイデバイスがルータであることを例とする。ユーザはブラウザ又はクライアント端末を介してルータのログインアドレスに基づきルータにログインし、その後、対応する設置オプションにおいてルータのＳＳＩＤ及び／又はパスワードを変更することができる。従って、ルータは自身のアクセス認証情報が変更されたことを検出した場合、変更後のアクセス認証情報を自動的に取得する。
【００４８】
ステップ３０２において、ゲートウェイデバイスは変更後のアクセス認証情報に対応する通知待ちデバイスを取得する。
【００４９】
本実施例において、ゲートウェイデバイスは通知待ちデバイスに変更後のアクセス認証情報を提供する。通知待ちデバイスは、ゲートウェイデバイスが所定の配置に基づいて自動的に選択したものであってもよい。例えば、通知待ちデバイスを現在ゲートウェイデバイスに接続中の全てのアクセスデバイスとして予め配置することができる。又は、通知待ちデバイスはユーザより選択されてもよい。
【００５０】
一つの実施可能な方法において、通知待ちデバイスがユーザより選択されるとき、本ステップは下記の二つのサブステップを含むことができる。
【００５１】
第１、ゲートウェイデバイスは本端末と接続するユーザ端末に、現在ゲートウェイデバイスに接続中のアクセスデバイスのデバイス識別子を含む第１デバイスリストを提供する。
【００５２】
ゲートウェイデバイスにおいて現在自身と接続中のアクセスデバイスのデバイス識別子を記録することができ、ゲートウェイデバイスは自身と接続するユーザ端末に、上述の全てのアクセスデバイスのデバイス識別子が含まれた第１デバイスリストを提供し、該ユーザ端末はゲートウェイデバイスに接続されたアクセスデバイスを管理する。デバイス識別子は異なるアクセスデバイスを区分するために使われる。好ましくは、デバイス識別子はＭＡＣ（Ｍｅｄｉａ  Ａｃｃｅｓｓ  Ｃｏｎｔｒｏｌ、メディアアクセス制御）アドレスであってもよい。
【００５３】
また、ゲートウェイデバイスはユーザ端末との間に確立したＷｉーＦｉネットワーク接続を利用してユーザ端末に第１デバイスリストを送信することができる。該ＷｉーＦｉネットワーク接続はゲートウェイデバイスが変更前のアクセス認証情報に基づいてユーザ端末と確立したものである。ゲートウェイデバイスにおいて変更後のアクセス認証情報がまだ有効してない状態であるため、上記変更前のアクセス認証情報に基づいて確立されたＷｉーＦｉネットワーク接続はまだ中断されておらず、ゲートウェイデバイスは依然として該Ｗｉ−Ｆｉネットワーク接続を利用してユーザ端末と通信することができ、第１デバイスリストをユーザ端末に送信する。
【００５４】
又は、ゲートウェイデバイスは拡張接続チャンネル（Ｅｘｔｅｎｄｅｄ  Ｃｏｎｎｅｃｔｉｏｎ  Ｃｈａｎｎｅｌ）を介してユーザに第１デバイスリストを送信することもできる。拡張接続チャンネルは無線接続チャンネルであっても、有線接続チャンネルであってもよい。無線接続チャンネルは、ブルートゥース（Ｂｌｕｅｔｏｏｔｈ）技術、ＺｉｇＢｅｅ技術、ＵＷＢ（Ｕｌｔｒａ  Ｗｉｄｅ  Ｂａｎｄ、超広帯域）技術、ＲＦＩＤ（Ｒａｄｉｏｏ  Ｆｒｅｑｕｅｎｃｙ  Ｉｄｅｎｔｉｆｉｃａｔｉｏｎ）技術のうちのいずれかの技術に基づいて確立された無線接続であることができ、これに限定されない。有線接続チャンネルは、ＵＳＢ（Ｕｎｉｖｅｒｓａｌ  Ｓｅｒｉａｌ  Ｂｕｓ）技術、シリアルインタフェース技術、ピン直結技術（Ｐｉｎ  Ｄｉｒｅｃｔ−ｃｏｎｎｅｃｔ  Ｔｅｃｈｎｏｌｏｇｙ）のうちのいずれかの技術に基づいて確立された有線接続を含むが、これに限定されない。
【００５５】
第２、ゲートウェイデバイスはユーザ端末から送信される目標デバイス識別子を受信し、且つ目標デバイス識別子に対応するアクセスデバイスを通知待ちデバイスとして確定する。目標デバイス識別子はユーザ端末が第１デバイスリストから選択したものである。
【００５６】
ユーザ端末はゲートウェイデバイスから送信される第１デバイスリストを受信した後、第１デバイスリストを表示する。ユーザはあるアクセスデバイスに変更後のアクセス認証情報を提供する必要があることを確認した場合、第１デバイスリストから該アクセスデバイスに対応する識別子を選択する。その後、ユーザ端末はユーザが選択した目標デバイス識別子をゲートウェイデバイスに送信する。目標デバイス識別子は一つでも、複数でもよい。従って、ゲートウェイデバイスはユーザ端末から送信される目標デバイス識別子を受信し、且つ目標デバイス識別子に対応するアクセスデバイスを通知待ちデバイスとして確定する。
【００５７】
他の実施可能な方法において、ゲートウェイデバイスには自身と接続を確立したことのあるアクセスデバイスのデバイス識別子を記録することができる。ゲートウェイデバイスは所定の配置又はユーザの選択に基づいて、上記自身と接続を確立したことのあるアクセスデバイスから通知待ちデバイスを選択できる。これについて、本実施例は限定しない。
【００５８】
上記ステップ３０２はステップ３０１の前に実行されても、ステップ３０１の後に実行されても、又はステップ３０１と同時に実行されてもよい。これについて、本実施例は限定しない。
【００５９】
ステップ３０３において、ゲートウェイデバイスは通知待ちデバイスに変更後のアクセス認証情報を提供する。
【００６０】
ゲートウェイデバイスは能動的に変更後のアクセス認証情報を通知待ちデバイスに通知することで、通知待ちデバイスが変更後のアクセス認証情報を簡単に、高効率に取得できるようにする。また、上記通知プロセスはユーザが参加する必要がなく、ユーザが各アクセスデバイスに変更後のアクセス認証情報を手動で提供する操作が必要なくなり、ユーザの体験を高めた。
【００６１】
好ましくは、ゲートウェイデバイスは無線ネットワーク接続を利用して、通知待ちデバイスに変更後のアクセス認証情報を送信する。該無線ネットワーク接続はゲートウェイデバイスが変更前のアクセス認証情報に基づき通知待ちデバイスと確立したものであり、該無線ネットワーク接続は即ち、ＷｉーＦｉネットワーク接続である。ゲートウェイデバイスにおいて、変更後のアクセス認証情報が有効していない状態ため、ゲートウェイデバイスと通知待ちデバイスの間に確立された無線ネットワーク接続はまだ中断されておらず、ゲートウェイデバイスは依然として該無線ネットワーク接続を利用してユーザ端末と通信することができる。ゲートウェイデバイスは、ポイント・ツー・ポイント伝送方式で各通知待ちデバイスに変更後のアクセス認証情報を送信する。
【００６２】
好ましくは、アクセス認証情報の安全性を高めるために、ゲートウェイデバイスは通知待ちデバイスに変更後のアクセス認証情報を送信する前に、変更後のアクセス認証情報を暗号化することもできる。
【００６３】
一つの実施可能な方法において、ゲートウェイデバイスはＬＡＮ内の全てのアクセスデバイスと同一の公開鍵（Ｐｕｂｌｉｃ  Ｋｅｙ）を予め協定する。例えば、各アクセスデバイスがゲートウェイデバイスと無線ネットワーク接続を成功的に確立した後、ゲートウェイデバイスは該無線ネットワーク接続を利用してアクセスデバイスに公開鍵を送信する。ゲートウェイデバイスは該公開鍵を採用して変更後のアクセス認証情報を暗号化する。その後、ゲートウェイデバイスは暗号化されたアクセス認証情報を通知待ちデバイスに送信する。
【００６４】
他の実施可能な方法において、ゲートウェイデバイスはＬＡＮ内の異なるアクセスデバイスと異なる秘密鍵を予め協定する。例えば、それぞれのアクセスデバイスがゲートウェイデバイスと無線ネットワーク接続を成功的に確立した後、ゲートウェイデバイスは該アクセスデバイスに秘密鍵を分配し、該無線ネットワーク接続を利用してアクセスデバイスに秘密鍵を送信する。又は、それぞれのアクセスデバイスがゲートウェイデバイスと無線ネットワーク接続を成功的に確立した後、アクセスデバイスは該無線ネットワーク接続を利用してゲートウェイデバイスに秘密鍵を送信する。また、ゲートウェイデバイスは異なるアクセスデバイスのデバイス識別子と異なる秘密鍵間の対応関係を記憶する。その後、それぞれの通知待ちデバイスに対して、ゲートウェイデバイスは該通知待ちデバイスに変更後のアクセス認証情報を送信する前に、上記対応関係に基づく該通知待ちデバイスに対応する秘密鍵を採用して変更後のアクセス認証情報を暗号化し、その後暗号化されたアクセス認証情報を該通知待ちデバイスに送信する。
【００６５】
従って、通知待ちデバイスはゲートウェイデバイスから送信される変更後のアクセス認証情報を受信する。
【００６６】
また、変更後のアクセス認証情報が公開鍵で暗号化されたアクセス認証情報である場合、通知待ちデバイスは公開鍵を採用してこれを復号化し、変更後のアクセス認証情報を読み取る。変更後のアクセス認証情報が秘密鍵で暗号化されたアクセス認証情報である場合、通知待ちデバイスは秘密鍵を採用してこれを復号化し、変更後のアクセス認証情報を読み取る。
【００６７】
好ましくは、本実施例は更にステップ３０４を含むことができる。
【００６８】
ステップ３０４において、ゲートウェイデバイスは変更後のアクセス認証情報を送信した後、変更後のアクセス認証情報が有効にする。
【００６９】
ゲートウェイデバイスは変更後のアクセス認証情報を送信してから一定時間（例えば１０秒）後に、変更後のアクセス認証情報が有効にする。好ましくは、ゲートウェイデバイスのアクセス認証情報が変更されたため、配置ミスを避けるために、ゲートウェイデバイスは再起動するように自身を作動させることが可能で、再起動が完成してから変更後のアクセス認証情報が有効にする。
【００７０】
好ましくは、本実施例は更にステップ３０５及びステップ３０６を含むことができる。
【００７１】
ステップ３０５において、ゲートウェイデバイスは通知待ちデバイスから送信される接続確立要求を受信する。
【００７２】
ステップ３０６において、ゲートウェイデバイスは接続確立要求に基づいて、通知待ちデバイスと無線ネットワーク接続を確立する。
【００７３】
通知待ちデバイスは変更後のアクセス認証情報を受信した後、該変更後のアクセス認証情報を採用してゲートウェイデバイスと無線ネットワーク接続を新たに確立することができる。無線ネットワーク接続を確立するプロセスは当業者が簡単に思いつく内容であり、本実施例はこれについて説明しない。
【００７４】
以上をまとめると、本実施例が提供した情報提供方法は、ゲートウェイデバイスが変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【００７５】
また、ゲートウェイデバイスは変更後のアクセス認証情報を有効にする前に、既に確立されている無線ネットワーク接続を介して通知待ちデバイスに変更後のアクセス認証情報を送信することで、拡張接続チャンネルを別度に設ける必要がなく、既にある伝送リソースを充分に利用して通知待ちデバイスに変更後のアクセス認証情報を提供することを実現する。
【００７６】
また、更にゲートウェイデバイスにより通知待ちデバイスに変更後のアクセス認証情報を送信する前に、該変更後のアクセス認証情報を暗号化し、暗号化されたアクセス認証情報を通知待ちデバイスに送信することを通じて、アクセス認証情報の安全性を高めた。
【００７７】
図４は他の例示的な実施例にかかる情報提供方法のフローチャートである。本実施例は該情報提供方法を図１に示される環境におけるゲートウェイデバイス１２０に適用することを例として説明を行う。該情報提供方法は下記のようないくつかのステップを含むことができる。
【００７８】
ステップ４０１において、ゲートウェイデバイスはアクセス認証情報が変更されたことを検出した場合、変更後のアクセス認証情報を自動的に取得する。
【００７９】
ステップ４０２において、ゲートウェイデバイスは変更後のアクセス認証情報に対応する通知待ちデバイスを取得する。
【００８０】
ステップ４０３において、ゲートウェイデバイスは通知待ちデバイスに変更後のアクセス認証情報を提供する。
【００８１】
上記ステップ４０１乃至ステップ４０３は図３に示される実施例におけるステップ３０１乃至ステップ３０３と同じであり、図３に示される実施例における紹介と説明を参照する。本実施例はこれについて繰り返し説明しない。
【００８２】
本実施例において、更に下記のようないくつかのステップを含むことができる。
【００８３】
ステップ４０４において、ゲートウェイデバイスは少なくとも一つのアクセスデバイスから送信される受信応答を受信する。
【００８４】
受信応答は変更後のアクセス認証情報の受信に成功したことを表示する。上記少なくとも一つのアクセスデバイスは通知待ちデバイスのうちの全部又は一部である。
【００８５】
本実施例において、通知待ちデバイスは変更後のアクセス認証情報の受信に成功した後、ゲートウェイデバイスにデバイス識別子を有する受信応答をフィードバックすることで、通知待ちデバイスが変更後のアクセス認証情報の受信に成功したことをゲートウェイデバイスに知らせる。
【００８６】
ステップ４０５において、ゲートウェイデバイスは受信応答を送信するアクセスデバイスと通知待ちデバイスに基づいて残り通知待ちデバイスを確定する。
【００８７】
残り通知待ちデバイスとは変更後のアクセス認証情報の受信に失敗した通知待ちデバイスを意味する。好ましくは、本ステップは下記のような二つの実施可能な方法を含む。
【００８８】
第１実施可能な方法において、ゲートウェイデバイスは自分で残り通知待ちデバイスを確定する。ゲートウェイデバイスは受信応答を送信するアクセスデバイスのデバイス識別子と通知待ちデバイスのデバイス識別子を比較して、残り通知待ちデバイスを確定する。
【００８９】
例えば、通知待ちデバイスはデバイス識別子がそれぞれ１、２、及び３である三つのアクセスデバイスを含んでおり、ゲートウェイデバイスはデバイス識別子がそれぞれ１及び３である二つのアクセスデバイスからフィードバックされた受信応答を受信した場合、ゲートウェイデバイスはデバイス識別子が２であるアクセスデバイスが変更後のアクセス認証情報の受信に失敗したことを確定することができ、該デバイス識別子が２であるアクセスデバイスが残り通知待ちデバイスである。また、変更後のアクセス認証情報の受信失敗の原因は、アクセスデバイスのパワーオフ、無線ネットワーク接続の故障等である可能性がある。
【００９０】
第２実施可能な方法において、ゲートウェイデバイスはクラウドサーバ（Ｃｌｏｕｄ  Ｓｅｒｖｅｒ）を利用して残り通知待ちデバイスを確定する。ゲートウェイデバイスはサーバに第２デバイスリスト及び第３デバイスリストを送信する。第２デバイスリストには受信応答を送信するアクセスデバイスのデバイス識別子が含まれ、第３デバイスリストには通知待ちデバイスのデバイスリストが含まれている。従って、サーバは第２デバイスリストと第３デバイスリストを比較して、残り通知待ちデバイスを確定する。その後、ゲートウェイデバイスはサーバから送信された、残り通知待ちデバイスのデバイス識別子を含む第４デバイスリストを受信する。
【００９１】
ゲートウェイデバイスはクラウドサーバを利用して残り通知待ちデバイスを確定し、ゲートウェイデバイスに対するパフォーマンス要求を減少させ、ゲートウェイデバイスの処理負荷を減少させ、且つ操作実現し易い。
【００９２】
また、ゲートウェイデバイスが変更後のアクセス認証情報を有効にするタイミングは下記の二つの可能性を有する。
【００９３】
１、ゲートウェイデバイスは、通知待ちデバイス全てが変更後のアクセス認証情報の受信に成功したことを確認した場合、変更後のアクセス認証情報を有効にする。
アクセス認証情報が再配置されてすぐに、それぞれの通知待ちデバイスがスピーディに新たにゲートウェイデバイスと接続することを保証するために、ゲートウェイデバイスは全ての通知待ちデバイスから送信される受信応答を受信した後に、変更後のアクセス認証情報が有効にする。
【００９４】
２、ゲートウェイデバイスは変更後のアクセス認証情報を送信した後の所定時刻に、変更後のアクセス認証情報を有効にする。
【００９５】
個別通知待ちデバイスが長時間受信応答をフィードバックしていないため、タイムリーに変更後のアクセス認証情報が有効できない状況が発生することを避けるために、ゲートウェイデバイスは変更後のアクセス認証情報を送信してからの一定時間（例えば１０秒）後に、変更後のアクセス認証情報が有効にすることもできる。
【００９６】
好ましくは、本実施例は更に下記のようなステップ４０６乃至ステップ４０８を含むことができる。
【００９７】
ステップ４０６において、ゲートウェイデバイスは目標アクセスデバイスが外部に向けてブロードキャストした、目標アクセスデバイスのデバイス識別子が含まれるアクセス要求を取得する。
【００９８】
変更後のアクセス認証情報の受信に失敗したアクセスデバイスにおいて、変更前のアクセス認証情報でゲートウェイデバイスに接続できないことに気づいた場合、アクセスデバイスは外部に向けてＭＡＣアドレスのような自身のデバイス識別子を含むアクセス要求をブロードキャストすることができる。従って、ゲートウェイデバイスは目標アクセスデバイスが外部に向けてブロードキャストしたアクセス要求を取得する。
【００９９】
ステップ４０７において、ゲートウェイデバイスは目標アクセスデバイスのデバイス識別子に基づいて、目標アクセスデバイスが残り通知待ちデバイスに属すか否かを検出する。
【０１００】
ステップ４０８において、目標アクセスデバイスが残り通知待ちデバイスに属す場合、ゲートウェイデバイスは目標アクセスデバイスに変更後のアクセス認証情報を送信する。
【０１０１】
ゲートウェイデバイスは目標アクセスデバイスが残り通知待ちデバイスに属すことを確認した上で、目標アクセスデバイスに変更後のアクセス認証情報を送信する。ゲートウェイデバイスはブロードキャストを通じて目標アクセスデバイスに変更後のアクセス認証情報を送信することができる。又は、ゲートウェイデバイスは目標アクセスデバイスとの間に確立した拡張接続チャンネルを通じて目標アクセスデバイスに変更後のアクセス認証情報を送信することもできる。
【０１０２】
また、目標アクセスデバイスは変更後のアクセス認証情報を取得した後、該変更後のアクセス認証情報を採用してゲートウェイデバイスと無線ネットワーク接続を新たに確立することができる。
【０１０３】
以上をまとめると、本実施例が提供した情報提供方法は、ゲートウェイデバイスが変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【０１０４】
また、一部の通知待ちデバイスが最初は変更後のアクセス認証情報の受信に失敗したとしても、ゲートウェイデバイスは後続の操作を通じてこの部分の残り通知待ちデバイスのために変更後のアクセス認証情報を提供することができ、それぞれの通知待ちデバイスの全てがスピーディ且つ正確に新たにゲートウェイデバイスと接続できることを保証した。
【０１０５】
下記は本発明の装置実施例であり、本発明の方法実施例の実行のために使用される。本発明の装置実施例において披露されていない細部については、本発明の方法実施例を参照すること。
【０１０６】
図５は一つの例示的な実施例にかかる情報提供装置のブロック図である。該情報提供装置は図１に示される環境におけるゲートウェイデバイス１２０に適用することができる。該情報提供装置は、情報取得モジュール５１０、デバイス取得モジュール５２０及び情報提供モジュール５３０を備えることができる。
【０１０７】
情報取得モジュール５１０は、アクセス認証情報が変更されたことを検出した場合、変更後のアクセス認証情報を自動的に取得するように配置される。
【０１０８】
デバイス取得モジュール５２０は、前記変更後のアクセス認証情報に対応する通知待ちデバイスを取得するように配置される。
【０１０９】
情報提供モジュール５３０は、前記通知待ちデバイスに前記変更後のアクセス認証情報を提供するように配置される。
【０１１０】
以上をまとめると、本実施例が提供した情報提供装置は、変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【０１１１】
図６は他の例示的な実施例にかかる情報提供装置のブロック図である。該情報提供装置は図１に示される環境におけるゲートウェイデバイス１２０に適用することができる。該情報提供装置は、情報取得モジュール５１０、デバイス取得モジュール５２０及び情報提供モジュール５３０を備えることができる。
【０１１２】
情報取得モジュール５１０は、アクセス認証情報が変更されたことを検出した後、変更後のアクセス認証情報を自動的に取得するように配置される。
【０１１３】
デバイス取得モジュール５２０は、前記変更後のアクセス認証情報に対応する通知待ちデバイスを取得するように配置される。
【０１１４】
情報提供モジュール５３０は、前記通知待ちデバイスに前記変更後のアクセス認証情報を提供するように配置される。
【０１１５】
好ましくは、前記デバイス取得モジュール５２０は、リスト提供サブモジュール５２０ａ及び識別子受信サブモジュール５２０ｂを有する。
【０１１６】
前記リスト提供サブモジュール５２０ａは、本端末と接続するユーザ端末に、現在本端末に接続中のアクセスデバイスのデバイス識別子を含む第１デバイスリストを提供するように配置される。
【０１１７】
前記識別子受信サブモジュール５２０ｂは、前記ユーザ端末から送信される目標デバイス識別子を受信し、且つ前記目標デバイス識別子に対応するアクセスデバイスを前記通知待ちデバイスとして確定するように配置される。
【０１１８】
前記目標デバイス識別子は前記ユーザ端末が前記第１デバイスリストから選択したものである。
【０１１９】
好ましくは、前記情報提供モジュール５３０は更に、無線ネットワーク接続を利用して、前記通知待ちデバイスに前記変更後のアクセス認証情報を送信するように配置される。
【０１２０】
前記無線ネットワーク接続は本端末が変更前のアクセス認証情報に基づいて前記通知待ちデバイスと確立したものである。
【０１２１】
好ましくは、前記装置は更に、応答受信モジュール５３２及び残り確定モジュール５３４を備える。
【０１２２】
応答受信モジュール５３２は、少なくとも一つのアクセスデバイスから送信された受信応答を受信するように配置され、前記受信応答は前記変更後のアクセス認証情報の受信に成功したことを表示し、前記少なくとも一つのアクセスデバイスは前記通知待ちデバイスのうちの全部又は一部である。
【０１２３】
残り確定モジュール５３４は、前記受信応答を送信するアクセスデバイスと前記通知待ちデバイスに基づいて残り通知待ちデバイスを確定するように配置され、前記残り通知待ちデバイスとは前記変更後のアクセス認証情報の受信に失敗した通知待ちデバイスのことである。
【０１２４】
好ましくは、前記残り確定モジュール５３４は更に、前記受信応答を送信するアクセスデバイスのデバイス識別子と前記通知待ちデバイスのデバイス識別子を比較して、前記残り通知待ちデバイスを確定するように配置される。
【０１２５】
又は、前記残り確定モジュール５３４は、リスト送信サブモジュール５３４ａ及びリスト受信サブモジュール５３４ｂを有する。
【０１２６】
前記リスト送信サブモジュール５３４ａは、前記受信応答を送信するアクセスデバイスのデバイス識別子が含まれた第２デバイスリスト、及び前記通知待ちデバイスのデバイス識別子が含まれた第３デバイスリストをサーバに送信するように配置され、前記サーバは前記第２デバイスリストと前記第３デバイスリストを比較して、前記残り通知待ちデバイスを確定する。
【０１２７】
前記リスト受信サブモジュール５３４ｂは、前記サーバから送信される、前記残り通知待ちデバイスのデバイス識別子を含む第４デバイスリストを受信するように配置される。
【０１２８】
好ましくは、前記装置は更に、要求取得モジュール５４２、デバイス検出モジュール５４４及び情報送信モジュール５４６を備える。
【０１２９】
要求取得モジュール５４２は、目標アクセスデバイスが外部に向けてブロードキャストした、前記目標アクセスデバイスのデバイス識別子が含まれるアクセス要求を取得するように配置される。
【０１３０】
デバイス検出モジュール５４４は、前記目標アクセスデバイスのデバイス識別子に基づいて、前記目標アクセスデバイスが前記残り通知待ちデバイスに属すか否かを検出するように配置される。
【０１３１】
情報送信モジュール５４６は、前記目標アクセスデバイスが前記残り通知待ちデバイスに属す場合、前記目標アクセスデバイスに前記変更後のアクセス認証情報を送信するように配置される。
【０１３２】
好ましくは、前記装置は更に、第１有効許可モジュール５５２又は第２有効許可モジュール５５４を備える。
【０１３３】
第１有効許可モジュール５５２は、前記通知待ちデバイス全てが前記変更後のアクセス認証情報の受信に成功したことを確認した場合、前記変更後のアクセス認証情報を有効にするように配置される。
【０１３４】
第２有効許可モジュール５５４は、前記変更後のアクセス認証情報を送信した後の所定時刻に、前記変更後のアクセス認証情報を有効にするように配置される。
【０１３５】
以上をまとめると、本実施例が提供した情報提供装置は、変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【０１３６】
また、変更後のアクセス認証情報が有効になる前に、既に確立されている無線ネットワーク接続を介して通知待ちデバイスに変更後のアクセス認証情報を送信することを通じて、拡張接続チャンネルを別度に設ける必要がなく、既にある伝送リソースを充分に利用して通知待ちデバイスに変更後のアクセス認証情報を提供することを実現する。
【０１３７】
また、一部の通知待ちデバイスが最初は変更後のアクセス認証情報の受信に失敗したとしても、後続の操作を通じてこの部分の残り通知待ちデバイスのために変更後のアクセス認証情報を提供することができ、それぞれの通知待ちデバイスの全てがスピーディ且つ正確に新たにゲートウェイデバイスと接続できることを保証した。
【０１３８】
上述した実施例における装置に関しては、それぞれのモジュールが操作を実行する具体的な方法は既に関連する実施例において詳細な説明を行っており、ここでは繰り返し説明しない。
【０１３９】
本発明の一つの例示的な実施例は、本発明が提供する情報提供方法を実現することができる情報提供装置を提供する。該情報提供装置は、プロセッサと、前記プロセッサが実行可能な指令を記憶するためのメモリとを備え、
プロセッサと、
プロセッサが実行可能な指令を記憶するためのメモリとを備え、
プロセッサは、
アクセス認証情報が変更されたことを検出した場合、変更後のアクセス認証情報を自動的に取得し、
変更後のアクセス認証情報に対応する通知待ちデバイスを取得し、
通知待ちデバイスに変更後のアクセス認証情報を提供するように構成される。
【０１４０】
好ましくは、プロセッサは更に、
本端末と接続するユーザ端末に、現在本端末に接続中のアクセスデバイスのデバイス識別子を含む第１デバイスリストを提供し、
ユーザ端末から送信される目標デバイス識別子を受信し、且つ目標デバイス識別子に対応するアクセスデバイスを通知待ちデバイスとして確定するように構成され、
目標デバイス識別子はユーザ端末が第１デバイスリストから選択したものである。
【０１４１】
好ましくは、プロセッサは更に、
無線ネットワーク接続を利用して、通知待ちデバイスに変更後のアクセス認証情報を送信するように構成され、
無線ネットワーク接続は本端末が変更前のアクセス認証情報に基づいて通知待ちデバイスと確立したものである。
【０１４２】
好ましくは、プロセッサは更に、
少なくとも一つのアクセスデバイスから送信される、変更後のアクセス認証情報の受信に成功したことを表示する受信応答を受信し、
前記受信応答を送信するアクセスデバイスと通知待ちデバイスに基づいて、変更後のアクセス認証情報の受信に失敗した通知待ちデバイスである残り通知待ちデバイスを確定するように構成され、
前記少なくとも一つのアクセスデバイスは通知待ちデバイスのうちの全部又は一部である。
【０１４３】
好ましくは、プロセッサは更に、
前記受信応答を送信するアクセスデバイスのデバイス識別子と通知待ちデバイスのデバイス識別子を比較して、残り通知待ちデバイスを確定し、
又は、
前記受信応答を送信するアクセスデバイスのデバイス識別子が含まれた第２デバイスリスト、及び通知待ちデバイスのデバイス識別子が含まれた第３デバイスリストをサーバに送信し、サーバは第２デバイスリストと第３デバイスリストを比較して、残り通知待ちデバイスを確定し、サーバから送信される残り通知待ちデバイスのデバイス識別子が含まれた第４デバイスリストを受信するように構成される。
【０１４４】
好ましくは、プロセッサは更に、
目標アクセスデバイスが外部に向けてブロードキャストした、目標アクセスデバイスのデバイス識別子が含まれるアクセス要求を取得し、
目標アクセスデバイスのデバイス識別子に基づいて、目標アクセスデバイスが残り通知待ちデバイスに属すか否かを検出し、
目標アクセスデバイスが残り通知待ちデバイスに属す場合、目標アクセスデバイスに変更後のアクセス認証情報を送信するように構成される。
【０１４５】
好ましくは、プロセッサは更に、
通知待ちデバイス全てが変更後のアクセス認証情報の受信に成功したことを確認した場合、変更後のアクセス認証情報を有効にし、
又は、
変更後のアクセス認証情報を送信した後の所定時刻に、変更後のアクセス認証情報を有効にするように構成される。
【０１４６】
図７は一つの例示的な実施例にかかる装置７００のブロック図である。例えば、装置７００はルータであってもよい。
【０１４７】
図７に示すように、装置７００は、プロセス部材７０２、メモリ７０４、電源部材７０６、入力／出力（Ｉ／Ｏ）のインタフェース７０８、及び通信部材７１６のような一つ以上の部材を含むことができる。
【０１４８】
プロセス部材７０２は、一般的には装置７００の全体の操作を制御するものであり、例えば、アドレス解析、データ送受信及びフロー制御等の操作を制御する。プロセス部材７０２は一つ又は複数のプロセッサ７１８を含み、これらによって命令を実行することにより、上述した方法の全部又は一部のステップを完成する。また、プロセス部材７０２は他の部材とのインタラクションをするため、一つ又は複数のモジュールを含むことができる。
【０１４９】
メモリ７０４は、各種類のデータを記憶することにより装置７００の操作を支援するように構成される。これらのデータの例は、装置７００において操作されるいずれのアプリケーションプログラム又は方法の命令、ユーザデータ等を含む。メモリ７０４は、いずれの種類の揮発性、不揮発性記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＰＲＯＭ（Ｐｒｏｇｒａｍｍａｂｌｅ  ＲＯＭ）、ＲＯＭ、磁気メモリ、フラッシュメモリ、磁気ディスク、或いは光ディスクである。
【０１５０】
電源部材７０６は、装置７００の多様な部材に電力を供給する。電源部材７０６は、電源管理システム、一つ以上の電源、及び装置７００のための電力の生成、管理及び割り当てに関連する他の部材を含んでもよい。
【０１５１】
Ｉ／Ｏインターフェイス７０８は、プロセス部材７０２と周辺インターフェイスモジュールの間にインターフェイスを提供する。
【０１５２】
通信部材７１６は、装置７００と他の機器の間に有線、又は無線形態の通信を提供する。装置７００は、例えばＷｉＦｉ（登録商標）のような、通信規格に基づいた無線ネットワークを確立することができる。一つの例示的な実施例において、通信部材７１６は、放送チャンネルを介して、外部にブロードキャスト信号を送信するか、又は、関連情報をブロードキャストする。
【０１５３】
例示的な実施例において、装置７００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１５４】
例示的な実施例において、さらに、命令を含むコンピュータ読取り可能な非一時的な記録媒体、例えば命令を含むメモリ７０４を提供しており、装置７００のプロセッサ７１８により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１５５】
コンピュータ読み取り可能な非一時的な記憶媒体は、前記記憶媒体の指令がデバイス８００のプロセッサ（７１８）によって実行されるとき、装置７００が上記図２、図３又は図４に示される実施例における情報提供方法を実行できるようにした。
【０１５６】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【０１５７】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【図１】
2017523741.tif 000003
【図２】
2017523741.tif 000004
【図３】
2017523741.tif 000005
【図４】
2017523741.tif 000006
【図５】
2017523741.tif 000007
【図６】
2017523741.tif 000008
【図７】
2017523741.tif 000009
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
アクセス認証情報が変更されたことを検出した場合、変更後のアクセス認証情報を自動的に取得するステップと、
前記変更後のアクセス認証情報に対応する通知待ちデバイスを取得するステップと、
前記通知待ちデバイスに前記変更後のアクセス認証情報を提供するステップとを含むことを特徴とする情報提供方法。
【請求項２】
前記変更後のアクセス認証情報に対応する通知待ちデバイスを取得するステップは、
本端末と接続するユーザ端末に、現在本端末に接続中のアクセスデバイスのデバイス識別子を含む第１デバイスリストを提供するステップと、
前記ユーザ端末から送信される目標デバイス識別子を受信し、且つ前記目標デバイス識別子に対応するアクセスデバイスを前記通知待ちデバイスとして確定するステップとを含み、
前記目標デバイス識別子は前記ユーザ端末が前記第１デバイスリストから選択したものであることを特徴とする請求項１に記載の情報提供方法。
【請求項３】
前記通知待ちデバイスに前記変更後のアクセス認証情報を提供するステップは、
無線ネットワーク接続を利用して、前記通知待ちデバイスに前記変更後のアクセス認証情報を送信するステップを含み、
前記無線ネットワーク接続は本端末が変更前のアクセス認証情報に基づいて前記通知待ちデバイスと確立したものであることを特徴とする請求項１に記載の情報提供方法。
【請求項４】
前記方法は、更に
少なくとも一つのアクセスデバイスから送信される、前記変更後のアクセス認証情報の受信に成功したことを表示する受信応答を受信するステップと、
前記受信応答を送信するアクセスデバイスと前記通知待ちデバイスに基づいて、前記変更後のアクセス認証情報の受信に失敗した通知待ちデバイスである残り通知待ちデバイスを確定するステップとを含み、
前記少なくとも一つのアクセスデバイスは前記通知待ちデバイスのうちの全部又は一部であることを特徴とする請求項１に記載の情報提供方法。
【請求項５】
前記受信応答を送信するアクセスデバイスと前記通知待ちデバイスに基づいて残り通知待ちデバイスを確定するステップは、
前記受信応答を送信するアクセスデバイスのデバイス識別子と前記通知待ちデバイスのデバイス識別子を比較して、前記残り通知待ちデバイスを確定するステップ、
又は、
前記受信応答を送信するアクセスデバイスのデバイス識別子が含まれた第２デバイスリスト、及び前記通知待ちデバイスのデバイス識別子が含まれた第３デバイスリストをサーバに送信し、前記サーバは前記第２デバイスリストと前記第３デバイスリストを比較して、前記残り通知待ちデバイスを確定し、前記サーバから送信される前記残り通知待ちデバイスのデバイス識別子が含まれた第４デバイスリストを受信するステップを含むことを特徴とする請求項４に記載の情報提供方法。
【請求項６】
前記方法は、更に
目標アクセスデバイスが外部に向けてブロードキャストした、前記目標アクセスデバイスのデバイス識別子が含まれるアクセス要求を取得するステップと、
前記目標アクセスデバイスのデバイス識別子に基づいて、前記目標アクセスデバイスが前記残り通知待ちデバイスに属すか否かを検出するステップと、
前記目標アクセスデバイスが前記残り通知待ちデバイスに属す場合、前記目標アクセスデバイスに前記変更後のアクセス認証情報を送信するステップとを含むことを特徴とする請求項４に記載の情報提供方法。
【請求項７】
前記方法は、更に
前記通知待ちデバイス全てが前記変更後のアクセス認証情報の受信に成功したことを確認した場合、前記変更後のアクセス認証情報を有効にするステップ、
又は、
前記変更後のアクセス認証情報を送信した後の所定時刻に、前記変更後のアクセス認証情報を有効にするステップを含むことを特徴とする請求項１乃至６のいずれかに記載の情報提供方法。
【請求項８】
アクセス認証情報が変更されたことを検出した場合、変更後のアクセス認証情報を自動的に取得する情報取得モジュールと、
前記変更後のアクセス認証情報に対応する通知待ちデバイスを取得するデバイス取得モジュールと、
前記通知待ちデバイスに前記変更後のアクセス認証情報を提供する情報提供モジュールとを備えることを特徴とする情報提供装置。
【請求項９】
前記デバイス取得モジュールは、
本端末と接続するユーザ端末に、現在本端末に接続中のアクセスデバイスのデバイス識別子を含む第１デバイスリストを提供するリスト提供サブモジュールと、
前記ユーザ端末から送信される目標デバイス識別子を受信し、且つ前記目標デバイス識別子に対応するアクセスデバイスを前記通知待ちデバイスとして確定する識別子受信サブモジュールを備え、
前記目標デバイス識別子は前記ユーザ端末が前記第１デバイスリストから選択したものであることを特徴とする請求項８に記載の情報提供装置。
【請求項１０】
前記情報提供モジュールは更に、無線ネットワーク接続を利用して、前記通知待ちデバイスに前記変更後のアクセス認証情報を送信し、
前記無線ネットワーク接続は本端末が変更前のアクセス認証情報に基づいて前記通知待ちデバイスと確立したものであることを特徴とする請求項８に記載の情報提供装置。
【請求項１１】
前記装置は、更に
少なくとも一つのアクセスデバイスから送信される、前記変更後のアクセス認証情報の受信に成功したことを表示する受信応答を受信する応答受信モジュールと、
前記受信応答を送信するアクセスデバイスと前記通知待ちデバイスに基づいて、前記変更後のアクセス認証情報の受信に失敗した通知待ちデバイスである残り通知待ちデバイスを確定する残り確定モジュールとを備え、
前記少なくとも一つのアクセスデバイスは前記通知待ちデバイスのうちの全部又は一部であることを特徴とする請求項８に記載の情報提供装置。
【請求項１２】
前記残り確定モジュールは更に、前記受信応答を送信するアクセスデバイスのデバイス識別子と前記通知待ちデバイスのデバイス識別子を比較して、前記残り通知待ちデバイスを確定し、
又は、
前記残り確定モジュールは、リスト送信サブモジュール及びリスト受信サブモジュールを有し、
前記リスト送信サブモジュールは、前記受信応答を送信するアクセスデバイスのデバイス識別子が含まれた第２デバイスリスト、及び前記通知待ちデバイスのデバイス識別子が含まれた第３デバイスリストをサーバに送信するように配置され、前記サーバは前記第２デバイスリストと前記第３デバイスリストを比較して、前記残り通知待ちデバイスを確定し、
前記リスト受信サブモジュールは、前記サーバから送信される前記残り通知待ちデバイスのデバイス識別子が含まれた第４デバイスリストを受信することを特徴とする請求項１１に記載の情報提供装置。
【請求項１３】
前記装置は、更に
目標アクセスデバイスが外部に向けてブロードキャストした、前記目標アクセスデバイスのデバイス識別子が含まれるアクセス要求を取得する要求取得モジュールと、
前記目標アクセスデバイスのデバイス識別子に基づいて、前記目標アクセスデバイスが前記残り通知待ちデバイスに属すか否かを検出するデバイス検出モジュールと、
前記目標アクセスデバイスが前記残り通知待ちデバイスに属す場合、前記目標アクセスデバイスに前記変更後のアクセス認証情報を送信する情報送信モジュールとを備えることを特徴とする請求項１１に記載の情報提供装置。
【請求項１４】
前記装置は、更に
前記通知待ちデバイス全てが前記変更後のアクセス認証情報の受信に成功したことを確認した場合、前記変更後のアクセス認証情報を有効にする第１有効許可モジュール、
又は、
前記変更後のアクセス認証情報を送信した後の所定時刻に、前記変更後のアクセス認証情報を有効にする第２有効許可モジュールを備えることを特徴とする請求項８乃至１３のいずれかに記載の情報提供装置。
【請求項１５】
プロセッサと、
前記プロセッサが実行可能な指令を記憶するためのメモリとを備え、
前記プロセッサは、
アクセス認証情報が変更されたことを検出した場合、変更後のアクセス認証情報を自動的に取得し、
前記変更後のアクセス認証情報に対応する通知待ちデバイスを取得し、
前記通知待ちデバイスに前記変更後のアクセス認証情報を提供するように構成されることを特徴とする情報提供装置。
【請求項１６】
プロセッサに実行されることにより、請求項１から請求項７のいずれかに記載の情報提供方法を実現する記録媒体に記録されたプログラム。
【請求項１７】
請求項１６に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は出願番号が２０１５１０２０４７９５．２であって、出願日が２０１５年４月２７日である中国特許出願に基づき、優先権を主張し、当該中国特許出願の全ての内容を本願に引用する。
【０００２】
本発明は無線ネットワーク技術分野に関し、特に情報提供方法、装置、プログラム及び記録媒体に関する。
【背景技術】
【０００３】
ルータは広く使われるゲートウェイデバイス（Ｇａｔｅｗａｙ  Ｄｅｖｉｃｅ）として、例えば携帯電話、タブレットＰＣ、スマートホームデバイス等のようなアクセスデバイスのために無線ネットワークアクセスサービスを提供する。
【０００４】
アクセスデバイスはルータのアクセス認証情報を取得してこそ、アクセス認証情報を根拠としてルータと無線ネットワーク接続を確立することができる。アクセス認証情報にはルータのＳＳＩＤ（Ｓｅｒｖｉｃｅ  Ｓｅｔ  Ｉｄｅｎｔｉｆｉｅｒ、サービスセット識別子）及びパスワードが含まれる。
【０００５】
ルータのアクセス認証情報が変更されたとき、ユーザは変更後のアクセス認証情報をアクセスデバイスに手動で提供する必要があり、アクセスデバイスが変更後のアクセス認証情報を取得するプロセスが複雑になり、効率が低下する。
【発明の概要】
【発明が解決しようとする課題】
【０００６】
本発明の実施例は情報提供方法、装置、プログラム及び記録媒体を提供する。前記技術方案は以下の通りである。
【課題を解決するための手段】
【０００７】
本発明の実施例の第１の態様によれば、情報提供方法を提供し、前記方法は、
アクセス認証情報が変更されたことを検出した場合、変更後のアクセス認証情報を自動的に取得するステップと、
前記変更後のアクセス認証情報に対応する通知待ちデバイスを取得するステップと、
前記通知待ちデバイスに前記変更後のアクセス認証情報を提供するステップとを含む。
【０００８】
好ましくは、前記変更後のアクセス認証情報に対応する通知待ちデバイスを取得するステップは、
本端末と接続するユーザ端末に、現在本端末に接続中のアクセスデバイスのデバイス識別子を含む第１デバイスリストを提供するステップと、
前記ユーザ端末から送信される目標デバイス識別子を受信し、且つ前記目標デバイス識別子に対応するアクセスデバイスを前記通知待ちデバイスとして確定するステップとを含み、
前記目標デバイス識別子は前記ユーザ端末が前記第１デバイスリストから選択したものである。
【０００９】
好ましくは、前記通知待ちデバイスに前記変更後のアクセス認証情報を提供するステップは、
無線ネットワーク接続を利用して、前記通知待ちデバイスに前記変更後のアクセス認証情報を送信するステップを含み、
前記無線ネットワーク接続は本端末が変更前のアクセス認証情報に基づいて前記通知待ちデバイスと確立したものである。
【００１０】
好ましくは、前記方法は、更に
少なくとも一つのアクセスデバイスから送信される、前記変更後のアクセス認証情報の受信に成功したことを表示する受信応答を受信するステップと、
前記受信応答を送信するアクセスデバイスと前記通知待ちデバイスに基づいて、前記変更後のアクセス認証情報の受信に失敗した通知待ちデバイスである残り通知待ちデバイスを確定するステップとを含み、
前記少なくとも一つのアクセスデバイスは前記通知待ちデバイスのうちの全部又は一部である。
【００１１】
好ましくは、前記受信応答を送信するアクセスデバイスと前記通知待ちデバイスに基づいて残り通知待ちデバイスを確定するステップは、
前記受信応答を送信するアクセスデバイスのデバイス識別子と前記通知待ちデバイスのデバイス識別子を比較して、前記残り通知待ちデバイスを確定するステップ、
又は、
前記受信応答を送信するアクセスデバイスのデバイス識別子が含まれた第２デバイスリスト、及び前記通知待ちデバイスのデバイス識別子が含まれた第３デバイスリストをサーバに送信し、前記サーバは前記第２デバイスリストと前記第３デバイスリストを比較して、前記残り通知待ちデバイスを確定し、前記サーバから送信される前記残り通知待ちデバイスのデバイス識別子が含まれた第４デバイスリストを受信するステップを含む。
【００１２】
好ましくは、前記方法は、更に
目標アクセスデバイスが外部に向けてブロードキャストした、前記目標アクセスデバイスのデバイス識別子が含まれるアクセス要求を取得するステップと、
前記目標アクセスデバイスのデバイス識別子に基づいて、前記目標アクセスデバイスが前記残り通知待ちデバイスに属すか否かを検出するステップと、
前記目標アクセスデバイスが前記残り通知待ちデバイスに属す場合、前記目標アクセスデバイスに前記変更後のアクセス認証情報を送信するステップとを含む。
【００１３】
好ましくは、前記方法は、更に
前記通知待ちデバイス全てが前記変更後のアクセス認証情報の受信に成功したことを確認した場合、前記変更後のアクセス認証情報を有効にするステップ、
又は、
前記変更後のアクセス認証情報を送信した後の所定時刻に、前記変更後のアクセス認証情報を有効にするステップを含む。
【００１４】
本発明の実施例の第２の態様によれば、情報提供装置を提供し、前記装置は、
アクセス認証情報が変更されたことを検出した場合、変更後のアクセス認証情報を自動的に取得する情報取得モジュールと、
前記変更後のアクセス認証情報に対応する通知待ちデバイスを取得するデバイス取得モジュールと、
前記通知待ちデバイスに前記変更後のアクセス認証情報を提供する情報提供モジュールとを備える。
【００１５】
好ましくは、前記デバイス取得モジュールは、
本端末と接続するユーザ端末に、現在本端末に接続中のアクセスデバイスのデバイス識別子を含む第１デバイスリストを提供するリスト提供サブモジュールと、
前記ユーザ端末から送信される目標デバイス識別子を受信し、且つ前記目標デバイス識別子に対応するアクセスデバイスを前記通知待ちデバイスとして確定する識別子受信サブモジュールを備え、
前記目標デバイス識別子は前記ユーザ端末が前記第１デバイスリストから選択したものである。
【００１６】
好ましくは、前記情報提供モジュールは更に、無線ネットワーク接続を利用して、前記通知待ちデバイスに前記変更後のアクセス認証情報を送信し、
前記無線ネットワーク接続は本端末が変更前のアクセス認証情報に基づいて前記通知待ちデバイスと確立したものである。
【００１７】
好ましくは、前記装置は、更に
少なくとも一つのアクセスデバイスから送信される、前記変更後のアクセス認証情報の受信に成功したことを表示する受信応答を受信する応答受信モジュールと、
前記受信応答を送信するアクセスデバイスと前記通知待ちデバイスに基づいて、前記変更後のアクセス認証情報の受信に失敗した通知待ちデバイスである残り通知待ちデバイスを確定する残り確定モジュールとを備え、
前記少なくとも一つのアクセスデバイスは前記通知待ちデバイスのうちの全部又は一部である。
【００１８】
好ましくは、前前記残り確定モジュールは更に、前記受信応答を送信するアクセスデバイスのデバイス識別子と前記通知待ちデバイスのデバイス識別子を比較して、前記残り通知待ちデバイスを確定し、
又は、
前記残り確定モジュールは、リスト送信サブモジュール及びリスト受信サブモジュールを有し、
前記リスト送信サブモジュールは、前記受信応答を送信するアクセスデバイスのデバイス識別子が含まれた第２デバイスリスト、及び前記通知待ちデバイスのデバイス識別子が含まれた第３デバイスリストをサーバに送信するように配置され、前記サーバは前記第２デバイスリストと前記第３デバイスリストを比較して、前記残り通知待ちデバイスを確定し、
前記リスト受信サブモジュールは、前記サーバから送信される前記残り通知待ちデバイスのデバイス識別子が含まれた第４デバイスリストを受信する。
【００１９】
好ましくは、前記装置は、更に
目標アクセスデバイスが外部に向けてブロードキャストした、前記目標アクセスデバイスのデバイス識別子が含まれるアクセス要求を取得する要求取得モジュールと、
前記目標アクセスデバイスのデバイス識別子に基づいて、前記目標アクセスデバイスが前記残り通知待ちデバイスに属すか否かを検出するデバイス検出モジュールと、
前記目標アクセスデバイスが前記残り通知待ちデバイスに属す場合、前記目標アクセスデバイスに前記変更後のアクセス認証情報を送信する情報送信モジュールとを備える。
【００２０】
好ましくは、前記装置は、更に
前記通知待ちデバイス全てが前記変更後のアクセス認証情報の受信に成功したことを確認した場合、前記変更後のアクセス認証情報を有効にする第１有効許可モジュール、
又は、
前記変更後のアクセス認証情報を送信した後の所定時刻に、前記変更後のアクセス認証情報を有効にする第２有効許可モジュールを備える。
【００２１】
本発明の実施例の第３の態様によれば、情報提供装置を提供し、前記装置は、
プロセッサと、
前記プロセッサが実行可能な指令を記憶するためのメモリとを備え、
前記プロセッサは、
アクセス認証情報が変更されたことを検出した場合、変更後のアクセス認証情報を自動的に取得し、
前記変更後のアクセス認証情報に対応する通知待ちデバイスを取得し、
前記通知待ちデバイスに前記変更後のアクセス認証情報を提供するように構成される。
【００２２】
本発明の実施例の第４の態様によれば、プロセッサに実行されることにより、前記情報提供方法を実現する記録媒体に記録されたプログラムを提供する。
【００２３】
本発明の実施例の第５の態様によれば、前記プログラムが記録された記録媒体を提供する。
【発明の効果】
【００２４】
本発明の実施例が提供する技術的方案は下記のような有益な効果を含むことができる。
【００２５】
変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【００２６】
また、一般的な説明及び以下の詳細な説明は単なる例示及び解釈に過ぎず、本発明を限定するものではないことを理解すべきである。
【図面の簡単な説明】
【００２７】
ここで、図面は明細書に取り込まれて明細書の一部を構成し、本発明に合致する実施例を示し、また、明細書と共に本発明の原理の解釈に用いられる。
【００２８】
【図１】本発明のそれぞれの実施例にかかる実施環境の説明図である。
【図２】一つの例示的な実施例にかかる情報提供方法のフローチャートである。
【図３】他の例示的な実施例にかかる情報提供方法のフローチャートである。
【図４】他の例示的な実施例にかかる情報提供方法のフローチャートである。
【図５】一つの例示的な実施例にかかる情報提供装置のブロック図である。
【図６】他の例示的な実施例にかかる情報提供装置のブロック図である。
【図７】一つの例示的な実施例にかかる装置のブロック図である。
【００２９】
上記の図面を通じて、既に本発明の明確な実施例を示しているが、以下において更に詳細に説明する。これらの図面と文字による説明は、如何なる方式においても本発明の思想の範囲を限定するためのものでなく、特定の実施例を参考にすることで当業者に対し本発明の概念を説明するためのものである。
【発明を実施するための形態】
【００３０】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００３１】
図１は本発明のそれぞれの実施例にかかる実施環境の説明図である。該実施環境は、ゲートウェイデバイス１２０及び少なくとも一つのアクセスデバイス１４０を含む。
【００３２】
ゲートウェイデバイス１２０とは、複数のネットワーク間においてデータ変換サービスを提供するためのコンピュータシステム或いはデバイスを意味している。ゲートウェイデバイス１２０はルータ、交換機、ファイアウォール又はルータ機能がオンになっているホストであってもよい。本発明の実施例において、ゲートウェイデバイス１２０がルータであることを例として説明を行う。
【００３３】
アクセスデバイス１４０はゲートウェイデバイス１２０と同じＬＡＮ（Ｌｏｃａｌ  Ａｒｅａ  Ｎｅｔｗｏｒｋ）に位置する。アクセスデバイス１４０はゲートウェイデバイス１２０のアクセス認証情報に基づいてゲートウェイデバイス１２０と無線ネットワーク接続を確立する。無線ネットワーク接続はＷｉーＦｉ（Ｗｉｒｅｌｅｓｓ  Ｆｉｄｅｌｉｔｙ）ネットワーク接続である。一般的に、アクセス認証情報にはＳＳＩＤ及び対応するパスワードが含まれる。
【００３４】
また、アクセスデバイス１４０は無線ネットワークアクセス機能を有するいずれの電子デバイスであってよい。例えば、アクセスデバイス１４０は、携帯電話、タブレットＰＣ、電子書籍リーダー、ＰＤＡ（Ｐｅｒｓｏｎａｌ  Ｄｉｇｉｔａｌ  Ａｓｓｉｓｔａｎｔ）のような移動端末デバイスであっても、スマートプラグ（Ｓｍａｒｔ  Ｐｌｕｇ）、スマートカム、スマートテレビ、スマートエアコンのようなスマートホームデバイス、又はスマートブレスレット、スマート腕時計、スマートめがね、スマートヘルメットのようなウェアラブルデバイス等であってもよい。
【００３５】
図２は一つの例示的な実施例にかかる情報提供方法のフローチャートである。該情報提供方法は、図１に示される環境におけるゲートウェイデバイス１２０に適用することができる。該情報提供方法は下記のようないくつかのステップを含むことができる。
【００３６】
ステップ２０２において、アクセス認証情報が変更されたことを検出した場合、変更後のアクセス認証情報を自動的に取得する。
【００３７】
ステップ２０４において、変更後のアクセス認証情報に対応する通知待ちデバイスを取得する。
【００３８】
ステップ２０６において、通知待ちデバイスに変更後のアクセス認証情報を提供する。
【００３９】
好ましくは、変更後のアクセス認証情報に対応する通知待ちデバイスを取得するステップは、
本端末と接続するユーザ端末に、現在本端末に接続中のアクセスデバイスのデバイス識別子を含む第１デバイスリストを提供するステップと、
ユーザ端末から送信される目標デバイス識別子を受信し、且つ目標デバイス識別子に対応するアクセスデバイスを通知待ちデバイスとして確定するステップとを含み、
目標デバイス識別子はユーザ端末が第１デバイスリストから選択したものである。
【００４０】
好ましくは、通知待ちデバイスに変更後のアクセス認証情報を提供するステップは、
無線ネットワーク接続を利用して、通知待ちデバイスに変更後のアクセス認証情報を送信するステップを含み、
無線ネットワーク接続は本端末が変更前のアクセス認証情報に基づいて通知待ちデバイスと確立したものである。
【００４１】
好ましくは、該方法は更に、
少なくとも一つのアクセスデバイスから送信される、変更後のアクセス認証情報の受信に成功したことを表示する受信応答を受信するステップと、
上記受信応答を送信するアクセスデバイスと通知待ちデバイスに基づいて、変更後のアクセス認証情報の受信に失敗した通知待ちデバイスである残り通知待ちデバイスを確定するステップとを含み、
上記少なくとも一つのアクセスデバイスは通知待ちデバイスのうちの全部又は一部である。
【００４２】
好ましくは、上記受信応答を送信するアクセスデバイスと通知待ちデバイスに基づいて残り通知待ちデバイスを確定するステップは、
上記受信応答を送信するアクセスデバイスのデバイス識別子と通知待ちデバイスのデバイス識別子を比較して、残り通知待ちデバイスを確定するステップ、
又は、
上記受信応答を送信するアクセスデバイスのデバイス識別子が含まれた第２デバイスリスト、及び通知待ちデバイスのデバイス識別子が含まれた第３デバイスリストをサーバに送信し、サーバは第２デバイスリストと第３デバイスリストを比較して、残り通知待ちデバイスを確定し、サーバから送信される残り通知待ちデバイスのデバイス識別子が含まれた第４デバイスリストを受信するステップを含む。
【００４３】
好ましくは、該方法は更に、
目標アクセスデバイスが外部に向けてブロードキャストした、目標アクセスデバイスのデバイス識別子が含まれるアクセス要求を取得するステップと、
目標アクセスデバイスのデバイス識別子に基づいて、目標アクセスデバイスが残り通知待ちデバイスに属すか否かを検出するステップと、
目標アクセスデバイスが残り通知待ちデバイスに属す場合、目標アクセスデバイスに変更後のアクセス認証情報を送信するステップとを含む。
【００４４】
好ましくは、該方法は更に、
通知待ちデバイス全てが変更後のアクセス認証情報の受信に成功したことを確認した場合、変更後のアクセス認証情報を有効にするステップ、
又は、
変更後のアクセス認証情報を送信した後の所定時刻に、変更後のアクセス認証情報を有効にするステップを含む。
【００４５】
以上をまとめると、本実施例が提供した情報提供方法は、変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【００４６】
図３は他の例示的な実施例にかかる情報提供方法のフローチャートである。本実施例は該情報提供方法を図１に示される環境におけるゲートウェイデバイス１２０に適用することを例として説明を行う。該情報提供方法は下記のようないくつかのステップを含むことができる。
【００４７】
ステップ３０１において、ゲートウェイデバイスはアクセス認証情報が変更されたことを検出した場合、変更後のアクセス認証情報を自動的に取得する。
【００４８】
変更後のアクセス認証情報には、変更後のＳＳＩＤと変更後のパスワードのうちの少なくとも一つが含まれる。
【００４９】
一つの実施可能な方法において、ゲートウェイデバイスがルータであることを例とする。ユーザはブラウザ又はクライアント端末を介してルータのログインアドレスに基づきルータにログインし、その後、対応する設置オプションにおいてルータのＳＳＩＤ及び／又はパスワードを変更することができる。従って、ルータは自身のアクセス認証情報が変更されたことを検出した場合、変更後のアクセス認証情報を自動的に取得する。
【００５０】
ステップ３０２において、ゲートウェイデバイスは変更後のアクセス認証情報に対応する通知待ちデバイスを取得する。
【００５１】
本実施例において、ゲートウェイデバイスは通知待ちデバイスに変更後のアクセス認証情報を提供する。通知待ちデバイスは、ゲートウェイデバイスが所定の配置に基づいて自動的に選択したものであってもよい。例えば、通知待ちデバイスを現在ゲートウェイデバイスに接続中の全てのアクセスデバイスとして予め配置することができる。又は、通知待ちデバイスはユーザより選択されてもよい。
【００５２】
一つの実施可能な方法において、通知待ちデバイスがユーザより選択されるとき、本ステップは下記の二つのサブステップを含むことができる。
【００５３】
第１、ゲートウェイデバイスは本端末と接続するユーザ端末に、現在ゲートウェイデバイスに接続中のアクセスデバイスのデバイス識別子を含む第１デバイスリストを提供する。
【００５４】
ゲートウェイデバイスにおいて現在自身と接続中のアクセスデバイスのデバイス識別子を記録することができ、ゲートウェイデバイスは自身と接続するユーザ端末に、上述の全てのアクセスデバイスのデバイス識別子が含まれた第１デバイスリストを提供し、該ユーザ端末はゲートウェイデバイスに接続されたアクセスデバイスを管理する。デバイス識別子は異なるアクセスデバイスを区分するために使われる。好ましくは、デバイス識別子はＭＡＣ（Ｍｅｄｉａ  Ａｃｃｅｓｓ  Ｃｏｎｔｒｏｌ、メディアアクセス制御）アドレスであってもよい。
【００５５】
また、ゲートウェイデバイスはユーザ端末との間に確立したＷｉーＦｉネットワーク接続を利用してユーザ端末に第１デバイスリストを送信することができる。該ＷｉーＦｉネットワーク接続はゲートウェイデバイスが変更前のアクセス認証情報に基づいてユーザ端末と確立したものである。ゲートウェイデバイスにおいて変更後のアクセス認証情報がまだ有効してない状態であるため、上記変更前のアクセス認証情報に基づいて確立されたＷｉーＦｉネットワーク接続はまだ中断されておらず、ゲートウェイデバイスは依然として該Ｗｉ−Ｆｉネットワーク接続を利用してユーザ端末と通信することができ、第１デバイスリストをユーザ端末に送信する。
【００５６】
又は、ゲートウェイデバイスは拡張接続チャンネル（Ｅｘｔｅｎｄｅｄ  Ｃｏｎｎｅｃｔｉｏｎ  Ｃｈａｎｎｅｌ）を介してユーザに第１デバイスリストを送信することもできる。拡張接続チャンネルは無線接続チャンネルであっても、有線接続チャンネルであってもよい。無線接続チャンネルは、ブルートゥース（Ｂｌｕｅｔｏｏｔｈ）技術、ＺｉｇＢｅｅ技術、ＵＷＢ（Ｕｌｔｒａ  Ｗｉｄｅ  Ｂａｎｄ、超広帯域）技術、ＲＦＩＤ（Ｒａｄｉｏｏ  Ｆｒｅｑｕｅｎｃｙ  Ｉｄｅｎｔｉｆｉｃａｔｉｏｎ）技術のうちのいずれかの技術に基づいて確立された無線接続であることができ、これに限定されない。有線接続チャンネルは、ＵＳＢ（Ｕｎｉｖｅｒｓａｌ  Ｓｅｒｉａｌ  Ｂｕｓ）技術、シリアルインタフェース技術、ピン直結技術（Ｐｉｎ  Ｄｉｒｅｃｔ−ｃｏｎｎｅｃｔ  Ｔｅｃｈｎｏｌｏｇｙ）のうちのいずれかの技術に基づいて確立された有線接続を含むが、これに限定されない。
【００５７】
第２、ゲートウェイデバイスはユーザ端末から送信される目標デバイス識別子を受信し、且つ目標デバイス識別子に対応するアクセスデバイスを通知待ちデバイスとして確定する。目標デバイス識別子はユーザ端末が第１デバイスリストから選択したものである。
【００５８】
ユーザ端末はゲートウェイデバイスから送信される第１デバイスリストを受信した後、第１デバイスリストを表示する。ユーザはあるアクセスデバイスに変更後のアクセス認証情報を提供する必要があることを確認した場合、第１デバイスリストから該アクセスデバイスに対応する識別子を選択する。その後、ユーザ端末はユーザが選択した目標デバイス識別子をゲートウェイデバイスに送信する。目標デバイス識別子は一つでも、複数でもよい。従って、ゲートウェイデバイスはユーザ端末から送信される目標デバイス識別子を受信し、且つ目標デバイス識別子に対応するアクセスデバイスを通知待ちデバイスとして確定する。
【００５９】
他の実施可能な方法において、ゲートウェイデバイスには自身と接続を確立したことのあるアクセスデバイスのデバイス識別子を記録することができる。ゲートウェイデバイスは所定の配置又はユーザの選択に基づいて、上記自身と接続を確立したことのあるアクセスデバイスから通知待ちデバイスを選択できる。これについて、本実施例は限定しない。
【００６０】
上記ステップ３０２はステップ３０１の前に実行されても、ステップ３０１の後に実行されても、又はステップ３０１と同時に実行されてもよい。これについて、本実施例は限定しない。
【００６１】
ステップ３０３において、ゲートウェイデバイスは通知待ちデバイスに変更後のアクセス認証情報を提供する。
【００６２】
ゲートウェイデバイスは能動的に変更後のアクセス認証情報を通知待ちデバイスに通知することで、通知待ちデバイスが変更後のアクセス認証情報を簡単に、高効率に取得できるようにする。また、上記通知プロセスはユーザが参加する必要がなく、ユーザが各アクセスデバイスに変更後のアクセス認証情報を手動で提供する操作が必要なくなり、ユーザの体験を高めた。
【００６３】
好ましくは、ゲートウェイデバイスは無線ネットワーク接続を利用して、通知待ちデバイスに変更後のアクセス認証情報を送信する。該無線ネットワーク接続はゲートウェイデバイスが変更前のアクセス認証情報に基づき通知待ちデバイスと確立したものであり、該無線ネットワーク接続は即ち、ＷｉーＦｉネットワーク接続である。ゲートウェイデバイスにおいて、変更後のアクセス認証情報が有効していない状態ため、ゲートウェイデバイスと通知待ちデバイスの間に確立された無線ネットワーク接続はまだ中断されておらず、ゲートウェイデバイスは依然として該無線ネットワーク接続を利用してユーザ端末と通信することができる。ゲートウェイデバイスは、ポイント・ツー・ポイント伝送方式で各通知待ちデバイスに変更後のアクセス認証情報を送信する。
【００６４】
好ましくは、アクセス認証情報の安全性を高めるために、ゲートウェイデバイスは通知待ちデバイスに変更後のアクセス認証情報を送信する前に、変更後のアクセス認証情報を暗号化することもできる。
【００６５】
一つの実施可能な方法において、ゲートウェイデバイスはＬＡＮ内の全てのアクセスデバイスと同一の公開鍵（Ｐｕｂｌｉｃ  Ｋｅｙ）を予め協定する。例えば、各アクセスデバイスがゲートウェイデバイスと無線ネットワーク接続を成功的に確立した後、ゲートウェイデバイスは該無線ネットワーク接続を利用してアクセスデバイスに公開鍵を送信する。ゲートウェイデバイスは該公開鍵を採用して変更後のアクセス認証情報を暗号化する。その後、ゲートウェイデバイスは暗号化されたアクセス認証情報を通知待ちデバイスに送信する。
【００６６】
他の実施可能な方法において、ゲートウェイデバイスはＬＡＮ内の異なるアクセスデバイスと異なる秘密鍵を予め協定する。例えば、それぞれのアクセスデバイスがゲートウェイデバイスと無線ネットワーク接続を成功的に確立した後、ゲートウェイデバイスは該アクセスデバイスに秘密鍵を分配し、該無線ネットワーク接続を利用してアクセスデバイスに秘密鍵を送信する。又は、それぞれのアクセスデバイスがゲートウェイデバイスと無線ネットワーク接続を成功的に確立した後、アクセスデバイスは該無線ネットワーク接続を利用してゲートウェイデバイスに秘密鍵を送信する。また、ゲートウェイデバイスは異なるアクセスデバイスのデバイス識別子と異なる秘密鍵間の対応関係を記憶する。その後、それぞれの通知待ちデバイスに対して、ゲートウェイデバイスは該通知待ちデバイスに変更後のアクセス認証情報を送信する前に、上記対応関係に基づく該通知待ちデバイスに対応する秘密鍵を採用して変更後のアクセス認証情報を暗号化し、その後暗号化されたアクセス認証情報を該通知待ちデバイスに送信する。
【００６７】
従って、通知待ちデバイスはゲートウェイデバイスから送信される変更後のアクセス認証情報を受信する。
【００６８】
また、変更後のアクセス認証情報が公開鍵で暗号化されたアクセス認証情報である場合、通知待ちデバイスは公開鍵を採用してこれを復号化し、変更後のアクセス認証情報を読み取る。変更後のアクセス認証情報が秘密鍵で暗号化されたアクセス認証情報である場合、通知待ちデバイスは秘密鍵を採用してこれを復号化し、変更後のアクセス認証情報を読み取る。
【００６９】
好ましくは、本実施例は更にステップ３０４を含むことができる。
【００７０】
ステップ３０４において、ゲートウェイデバイスは変更後のアクセス認証情報を送信した後、変更後のアクセス認証情報が有効にする。
【００７１】
ゲートウェイデバイスは変更後のアクセス認証情報を送信してから一定時間（例えば１０秒）後に、変更後のアクセス認証情報が有効にする。好ましくは、ゲートウェイデバイスのアクセス認証情報が変更されたため、配置ミスを避けるために、ゲートウェイデバイスは再起動するように自身を作動させることが可能で、再起動が完成してから変更後のアクセス認証情報が有効にする。
【００７２】
好ましくは、本実施例は更にステップ３０５及びステップ３０６を含むことができる。
【００７３】
ステップ３０５において、ゲートウェイデバイスは通知待ちデバイスから送信される接続確立要求を受信する。
【００７４】
ステップ３０６において、ゲートウェイデバイスは接続確立要求に基づいて、通知待ちデバイスと無線ネットワーク接続を確立する。
【００７５】
通知待ちデバイスは変更後のアクセス認証情報を受信した後、該変更後のアクセス認証情報を採用してゲートウェイデバイスと無線ネットワーク接続を新たに確立することができる。無線ネットワーク接続を確立するプロセスは当業者が簡単に思いつく内容であり、本実施例はこれについて説明しない。
【００７６】
以上をまとめると、本実施例が提供した情報提供方法は、ゲートウェイデバイスが変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【００７７】
また、ゲートウェイデバイスは変更後のアクセス認証情報を有効にする前に、既に確立されている無線ネットワーク接続を介して通知待ちデバイスに変更後のアクセス認証情報を送信することで、拡張接続チャンネルを別度に設ける必要がなく、既にある伝送リソースを充分に利用して通知待ちデバイスに変更後のアクセス認証情報を提供することを実現する。
【００７８】
また、更にゲートウェイデバイスにより通知待ちデバイスに変更後のアクセス認証情報を送信する前に、該変更後のアクセス認証情報を暗号化し、暗号化されたアクセス認証情報を通知待ちデバイスに送信することを通じて、アクセス認証情報の安全性を高めた。
【００７９】
図４は他の例示的な実施例にかかる情報提供方法のフローチャートである。本実施例は該情報提供方法を図１に示される環境におけるゲートウェイデバイス１２０に適用することを例として説明を行う。該情報提供方法は下記のようないくつかのステップを含むことができる。
【００８０】
ステップ４０１において、ゲートウェイデバイスはアクセス認証情報が変更されたことを検出した場合、変更後のアクセス認証情報を自動的に取得する。
【００８１】
ステップ４０２において、ゲートウェイデバイスは変更後のアクセス認証情報に対応する通知待ちデバイスを取得する。
【００８２】
ステップ４０３において、ゲートウェイデバイスは通知待ちデバイスに変更後のアクセス認証情報を提供する。
【００８３】
上記ステップ４０１乃至ステップ４０３は図３に示される実施例におけるステップ３０１乃至ステップ３０３と同じであり、図３に示される実施例における紹介と説明を参照する。本実施例はこれについて繰り返し説明しない。
【００８４】
本実施例において、更に下記のようないくつかのステップを含むことができる。
【００８５】
ステップ４０４において、ゲートウェイデバイスは少なくとも一つのアクセスデバイスから送信される受信応答を受信する。
【００８６】
受信応答は変更後のアクセス認証情報の受信に成功したことを表示する。上記少なくとも一つのアクセスデバイスは通知待ちデバイスのうちの全部又は一部である。
【００８７】
本実施例において、通知待ちデバイスは変更後のアクセス認証情報の受信に成功した後、ゲートウェイデバイスにデバイス識別子を有する受信応答をフィードバックすることで、通知待ちデバイスが変更後のアクセス認証情報の受信に成功したことをゲートウェイデバイスに知らせる。
【００８８】
ステップ４０５において、ゲートウェイデバイスは受信応答を送信するアクセスデバイスと通知待ちデバイスに基づいて残り通知待ちデバイスを確定する。
【００８９】
残り通知待ちデバイスとは変更後のアクセス認証情報の受信に失敗した通知待ちデバイスを意味する。好ましくは、本ステップは下記のような二つの実施可能な方法を含む。
【００９０】
第１実施可能な方法において、ゲートウェイデバイスは自分で残り通知待ちデバイスを確定する。ゲートウェイデバイスは受信応答を送信するアクセスデバイスのデバイス識別子と通知待ちデバイスのデバイス識別子を比較して、残り通知待ちデバイスを確定する。
【００９１】
例えば、通知待ちデバイスはデバイス識別子がそれぞれ１、２、及び３である三つのアクセスデバイスを含んでおり、ゲートウェイデバイスはデバイス識別子がそれぞれ１及び３である二つのアクセスデバイスからフィードバックされた受信応答を受信した場合、ゲートウェイデバイスはデバイス識別子が２であるアクセスデバイスが変更後のアクセス認証情報の受信に失敗したことを確定することができ、該デバイス識別子が２であるアクセスデバイスが残り通知待ちデバイスである。また、変更後のアクセス認証情報の受信失敗の原因は、アクセスデバイスのパワーオフ、無線ネットワーク接続の故障等である可能性がある。
【００９２】
第２実施可能な方法において、ゲートウェイデバイスはクラウドサーバ（Ｃｌｏｕｄ  Ｓｅｒｖｅｒ）を利用して残り通知待ちデバイスを確定する。ゲートウェイデバイスはサーバに第２デバイスリスト及び第３デバイスリストを送信する。第２デバイスリストには受信応答を送信するアクセスデバイスのデバイス識別子が含まれ、第３デバイスリストには通知待ちデバイスのデバイスリストが含まれている。従って、サーバは第２デバイスリストと第３デバイスリストを比較して、残り通知待ちデバイスを確定する。その後、ゲートウェイデバイスはサーバから送信された、残り通知待ちデバイスのデバイス識別子を含む第４デバイスリストを受信する。
【００９３】
ゲートウェイデバイスはクラウドサーバを利用して残り通知待ちデバイスを確定し、ゲートウェイデバイスに対するパフォーマンス要求を減少させ、ゲートウェイデバイスの処理負荷を減少させ、且つ操作実現し易い。
【００９４】
また、ゲートウェイデバイスが変更後のアクセス認証情報を有効にするタイミングは下記の二つの可能性を有する。
【００９５】
１、ゲートウェイデバイスは、通知待ちデバイス全てが変更後のアクセス認証情報の受信に成功したことを確認した場合、変更後のアクセス認証情報を有効にする。
アクセス認証情報が再配置されてすぐに、それぞれの通知待ちデバイスがスピーディに新たにゲートウェイデバイスと接続することを保証するために、ゲートウェイデバイスは全ての通知待ちデバイスから送信される受信応答を受信した後に、変更後のアクセス認証情報が有効にする。
【００９６】
２、ゲートウェイデバイスは変更後のアクセス認証情報を送信した後の所定時刻に、変更後のアクセス認証情報を有効にする。
【００９７】
個別通知待ちデバイスが長時間受信応答をフィードバックしていないため、タイムリーに変更後のアクセス認証情報が有効できない状況が発生することを避けるために、ゲートウェイデバイスは変更後のアクセス認証情報を送信してからの一定時間（例えば１０秒）後に、変更後のアクセス認証情報が有効にすることもできる。
【００９８】
好ましくは、本実施例は更に下記のようなステップ４０６乃至ステップ４０８を含むことができる。
【００９９】
ステップ４０６において、ゲートウェイデバイスは目標アクセスデバイスが外部に向けてブロードキャストした、目標アクセスデバイスのデバイス識別子が含まれるアクセス要求を取得する。
【０１００】
変更後のアクセス認証情報の受信に失敗したアクセスデバイスにおいて、変更前のアクセス認証情報でゲートウェイデバイスに接続できないことに気づいた場合、アクセスデバイスは外部に向けてＭＡＣアドレスのような自身のデバイス識別子を含むアクセス要求をブロードキャストすることができる。従って、ゲートウェイデバイスは目標アクセスデバイスが外部に向けてブロードキャストしたアクセス要求を取得する。
【０１０１】
ステップ４０７において、ゲートウェイデバイスは目標アクセスデバイスのデバイス識別子に基づいて、目標アクセスデバイスが残り通知待ちデバイスに属すか否かを検出する。
【０１０２】
ステップ４０８において、目標アクセスデバイスが残り通知待ちデバイスに属す場合、ゲートウェイデバイスは目標アクセスデバイスに変更後のアクセス認証情報を送信する。
【０１０３】
ゲートウェイデバイスは目標アクセスデバイスが残り通知待ちデバイスに属すことを確認した上で、目標アクセスデバイスに変更後のアクセス認証情報を送信する。ゲートウェイデバイスはブロードキャストを通じて目標アクセスデバイスに変更後のアクセス認証情報を送信することができる。又は、ゲートウェイデバイスは目標アクセスデバイスとの間に確立した拡張接続チャンネルを通じて目標アクセスデバイスに変更後のアクセス認証情報を送信することもできる。
【０１０４】
また、目標アクセスデバイスは変更後のアクセス認証情報を取得した後、該変更後のアクセス認証情報を採用してゲートウェイデバイスと無線ネットワーク接続を新たに確立することができる。
【０１０５】
以上をまとめると、本実施例が提供した情報提供方法は、ゲートウェイデバイスが変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【０１０６】
また、一部の通知待ちデバイスが最初は変更後のアクセス認証情報の受信に失敗したとしても、ゲートウェイデバイスは後続の操作を通じてこの部分の残り通知待ちデバイスのために変更後のアクセス認証情報を提供することができ、それぞれの通知待ちデバイスの全てがスピーディ且つ正確に新たにゲートウェイデバイスと接続できることを保証した。
【０１０７】
下記は本発明の装置実施例であり、本発明の方法実施例の実行のために使用される。本発明の装置実施例において披露されていない細部については、本発明の方法実施例を参照すること。
【０１０８】
図５は一つの例示的な実施例にかかる情報提供装置のブロック図である。該情報提供装置は図１に示される環境におけるゲートウェイデバイス１２０に適用することができる。該情報提供装置は、情報取得モジュール５１０、デバイス取得モジュール５２０及び情報提供モジュール５３０を備えることができる。
【０１０９】
情報取得モジュール５１０は、アクセス認証情報が変更されたことを検出した場合、変更後のアクセス認証情報を自動的に取得するように配置される。
【０１１０】
デバイス取得モジュール５２０は、前記変更後のアクセス認証情報に対応する通知待ちデバイスを取得するように配置される。
【０１１１】
情報提供モジュール５３０は、前記通知待ちデバイスに前記変更後のアクセス認証情報を提供するように配置される。
【０１１２】
以上をまとめると、本実施例が提供した情報提供装置は、変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【０１１３】
図６は他の例示的な実施例にかかる情報提供装置のブロック図である。該情報提供装置は図１に示される環境におけるゲートウェイデバイス１２０に適用することができる。該情報提供装置は、情報取得モジュール５１０、デバイス取得モジュール５２０及び情報提供モジュール５３０を備えることができる。
【０１１４】
情報取得モジュール５１０は、アクセス認証情報が変更されたことを検出した後、変更後のアクセス認証情報を自動的に取得するように配置される。
【０１１５】
デバイス取得モジュール５２０は、前記変更後のアクセス認証情報に対応する通知待ちデバイスを取得するように配置される。
【０１１６】
情報提供モジュール５３０は、前記通知待ちデバイスに前記変更後のアクセス認証情報を提供するように配置される。
【０１１７】
好ましくは、前記デバイス取得モジュール５２０は、リスト提供サブモジュール５２０ａ及び識別子受信サブモジュール５２０ｂを有する。
【０１１８】
前記リスト提供サブモジュール５２０ａは、本端末と接続するユーザ端末に、現在本端末に接続中のアクセスデバイスのデバイス識別子を含む第１デバイスリストを提供するように配置される。
【０１１９】
前記識別子受信サブモジュール５２０ｂは、前記ユーザ端末から送信される目標デバイス識別子を受信し、且つ前記目標デバイス識別子に対応するアクセスデバイスを前記通知待ちデバイスとして確定するように配置される。
【０１２０】
前記目標デバイス識別子は前記ユーザ端末が前記第１デバイスリストから選択したものである。
【０１２１】
好ましくは、前記情報提供モジュール５３０は更に、無線ネットワーク接続を利用して、前記通知待ちデバイスに前記変更後のアクセス認証情報を送信するように配置される。
【０１２２】
前記無線ネットワーク接続は本端末が変更前のアクセス認証情報に基づいて前記通知待ちデバイスと確立したものである。
【０１２３】
好ましくは、前記装置は更に、応答受信モジュール５３２及び残り確定モジュール５３４を備える。
【０１２４】
応答受信モジュール５３２は、少なくとも一つのアクセスデバイスから送信された受信応答を受信するように配置され、前記受信応答は前記変更後のアクセス認証情報の受信に成功したことを表示し、前記少なくとも一つのアクセスデバイスは前記通知待ちデバイスのうちの全部又は一部である。
【０１２５】
残り確定モジュール５３４は、前記受信応答を送信するアクセスデバイスと前記通知待ちデバイスに基づいて残り通知待ちデバイスを確定するように配置され、前記残り通知待ちデバイスとは前記変更後のアクセス認証情報の受信に失敗した通知待ちデバイスのことである。
【０１２６】
好ましくは、前記残り確定モジュール５３４は更に、前記受信応答を送信するアクセスデバイスのデバイス識別子と前記通知待ちデバイスのデバイス識別子を比較して、前記残り通知待ちデバイスを確定するように配置される。
【０１２７】
又は、前記残り確定モジュール５３４は、リスト送信サブモジュール５３４ａ及びリスト受信サブモジュール５３４ｂを有する。
【０１２８】
前記リスト送信サブモジュール５３４ａは、前記受信応答を送信するアクセスデバイスのデバイス識別子が含まれた第２デバイスリスト、及び前記通知待ちデバイスのデバイス識別子が含まれた第３デバイスリストをサーバに送信するように配置され、前記サーバは前記第２デバイスリストと前記第３デバイスリストを比較して、前記残り通知待ちデバイスを確定する。
【０１２９】
前記リスト受信サブモジュール５３４ｂは、前記サーバから送信される、前記残り通知待ちデバイスのデバイス識別子を含む第４デバイスリストを受信するように配置される。
【０１３０】
好ましくは、前記装置は更に、要求取得モジュール５４２、デバイス検出モジュール５４４及び情報送信モジュール５４６を備える。
【０１３１】
要求取得モジュール５４２は、目標アクセスデバイスが外部に向けてブロードキャストした、前記目標アクセスデバイスのデバイス識別子が含まれるアクセス要求を取得するように配置される。
【０１３２】
デバイス検出モジュール５４４は、前記目標アクセスデバイスのデバイス識別子に基づいて、前記目標アクセスデバイスが前記残り通知待ちデバイスに属すか否かを検出するように配置される。
【０１３３】
情報送信モジュール５４６は、前記目標アクセスデバイスが前記残り通知待ちデバイスに属す場合、前記目標アクセスデバイスに前記変更後のアクセス認証情報を送信するように配置される。
【０１３４】
好ましくは、前記装置は更に、第１有効許可モジュール５５２又は第２有効許可モジュール５５４を備える。
【０１３５】
第１有効許可モジュール５５２は、前記通知待ちデバイス全てが前記変更後のアクセス認証情報の受信に成功したことを確認した場合、前記変更後のアクセス認証情報を有効にするように配置される。
【０１３６】
第２有効許可モジュール５５４は、前記変更後のアクセス認証情報を送信した後の所定時刻に、前記変更後のアクセス認証情報を有効にするように配置される。
【０１３７】
以上をまとめると、本実施例が提供した情報提供装置は、変更されたアクセス認証情報及び対応する通知待ちデバイスを取得して、能動的に通知待ちデバイスに上記変更後のアクセス認証情報を提供することを通じて、ユーザが変更後のアクセス認証情報をアクセスデバイスに手動で提供し、アクセスデバイスの変更後のアクセス認証情報を取得するプロセスの複雑化と効率の低下という関連する技術における問題を解決し、変更後のアクセス認証情報を指定するアクセスデバイスに向け簡単、高効率に提供する効果を奏した。
【０１３８】
また、変更後のアクセス認証情報が有効になる前に、既に確立されている無線ネットワーク接続を介して通知待ちデバイスに変更後のアクセス認証情報を送信することを通じて、拡張接続チャンネルを別度に設ける必要がなく、既にある伝送リソースを充分に利用して通知待ちデバイスに変更後のアクセス認証情報を提供することを実現する。
【０１３９】
また、一部の通知待ちデバイスが最初は変更後のアクセス認証情報の受信に失敗したとしても、後続の操作を通じてこの部分の残り通知待ちデバイスのために変更後のアクセス認証情報を提供することができ、それぞれの通知待ちデバイスの全てがスピーディ且つ正確に新たにゲートウェイデバイスと接続できることを保証した。
【０１４０】
上述した実施例における装置に関しては、それぞれのモジュールが操作を実行する具体的な方法は既に関連する実施例において詳細な説明を行っており、ここでは繰り返し説明しない。
【０１４１】
本発明の一つの例示的な実施例は、本発明が提供する情報提供方法を実現することができる情報提供装置を提供する。該情報提供装置は、プロセッサと、前記プロセッサが実行可能な指令を記憶するためのメモリとを備え、
プロセッサと、
プロセッサが実行可能な指令を記憶するためのメモリとを備え、
プロセッサは、
アクセス認証情報が変更されたことを検出した場合、変更後のアクセス認証情報を自動的に取得し、
変更後のアクセス認証情報に対応する通知待ちデバイスを取得し、
通知待ちデバイスに変更後のアクセス認証情報を提供するように構成される。
【０１４２】
好ましくは、プロセッサは更に、
本端末と接続するユーザ端末に、現在本端末に接続中のアクセスデバイスのデバイス識別子を含む第１デバイスリストを提供し、
ユーザ端末から送信される目標デバイス識別子を受信し、且つ目標デバイス識別子に対応するアクセスデバイスを通知待ちデバイスとして確定するように構成され、
目標デバイス識別子はユーザ端末が第１デバイスリストから選択したものである。
【０１４３】
好ましくは、プロセッサは更に、
無線ネットワーク接続を利用して、通知待ちデバイスに変更後のアクセス認証情報を送信するように構成され、
無線ネットワーク接続は本端末が変更前のアクセス認証情報に基づいて通知待ちデバイスと確立したものである。
【０１４４】
好ましくは、プロセッサは更に、
少なくとも一つのアクセスデバイスから送信される、変更後のアクセス認証情報の受信に成功したことを表示する受信応答を受信し、
前記受信応答を送信するアクセスデバイスと通知待ちデバイスに基づいて、変更後のアクセス認証情報の受信に失敗した通知待ちデバイスである残り通知待ちデバイスを確定するように構成され、
前記少なくとも一つのアクセスデバイスは通知待ちデバイスのうちの全部又は一部である。
【０１４５】
好ましくは、プロセッサは更に、
前記受信応答を送信するアクセスデバイスのデバイス識別子と通知待ちデバイスのデバイス識別子を比較して、残り通知待ちデバイスを確定し、
又は、
前記受信応答を送信するアクセスデバイスのデバイス識別子が含まれた第２デバイスリスト、及び通知待ちデバイスのデバイス識別子が含まれた第３デバイスリストをサーバに送信し、サーバは第２デバイスリストと第３デバイスリストを比較して、残り通知待ちデバイスを確定し、サーバから送信される残り通知待ちデバイスのデバイス識別子が含まれた第４デバイスリストを受信するように構成される。
【０１４６】
好ましくは、プロセッサは更に、
目標アクセスデバイスが外部に向けてブロードキャストした、目標アクセスデバイスのデバイス識別子が含まれるアクセス要求を取得し、
目標アクセスデバイスのデバイス識別子に基づいて、目標アクセスデバイスが残り通知待ちデバイスに属すか否かを検出し、
目標アクセスデバイスが残り通知待ちデバイスに属す場合、目標アクセスデバイスに変更後のアクセス認証情報を送信するように構成される。
【０１４７】
好ましくは、プロセッサは更に、
通知待ちデバイス全てが変更後のアクセス認証情報の受信に成功したことを確認した場合、変更後のアクセス認証情報を有効にし、
又は、
変更後のアクセス認証情報を送信した後の所定時刻に、変更後のアクセス認証情報を有効にするように構成される。
【０１４８】
図７は一つの例示的な実施例にかかる装置７００のブロック図である。例えば、装置７００はルータであってもよい。
【０１４９】
図７に示すように、装置７００は、プロセス部材７０２、メモリ７０４、電源部材７０６、入力／出力（Ｉ／Ｏ）のインタフェース７０８、及び通信部材７１６のような一つ以上の部材を含むことができる。
【０１５０】
プロセス部材７０２は、一般的には装置７００の全体の操作を制御するものであり、例えば、アドレス解析、データ送受信及びフロー制御等の操作を制御する。プロセス部材７０２は一つ又は複数のプロセッサ７１８を含み、これらによって命令を実行することにより、上述した方法の全部又は一部のステップを完成する。また、プロセス部材７０２は他の部材とのインタラクションをするため、一つ又は複数のモジュールを含むことができる。
【０１５１】
メモリ７０４は、各種類のデータを記憶することにより装置７００の操作を支援するように構成される。これらのデータの例は、装置７００において操作されるいずれのアプリケーションプログラム又は方法の命令、ユーザデータ等を含む。メモリ７０４は、いずれの種類の揮発性、不揮発性記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＰＲＯＭ（Ｐｒｏｇｒａｍｍａｂｌｅ  ＲＯＭ）、ＲＯＭ、磁気メモリ、フラッシュメモリ、磁気ディスク、或いは光ディスクである。
【０１５２】
電源部材７０６は、装置７００の多様な部材に電力を供給する。電源部材７０６は、電源管理システム、一つ以上の電源、及び装置７００のための電力の生成、管理及び割り当てに関連する他の部材を含んでもよい。
【０１５３】
Ｉ／Ｏインターフェイス７０８は、プロセス部材７０２と周辺インターフェイスモジュールの間にインターフェイスを提供する。
【０１５４】
通信部材７１６は、装置７００と他の機器の間に有線、又は無線形態の通信を提供する。装置７００は、例えばＷｉＦｉ（登録商標）のような、通信規格に基づいた無線ネットワークを確立することができる。一つの例示的な実施例において、通信部材７１６は、放送チャンネルを介して、外部にブロードキャスト信号を送信するか、又は、関連情報をブロードキャストする。
【０１５５】
例示的な実施例において、装置７００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１５６】
例示的な実施例において、さらに、命令を含むコンピュータ読取り可能な非一時的な記録媒体、例えば命令を含むメモリ７０４を提供しており、装置７００のプロセッサ７１８により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピーディスク、光データ記憶デバイス等である。
【０１５７】
コンピュータ読み取り可能な非一時的な記憶媒体は、前記記憶媒体の指令がデバイス８００のプロセッサ（７１８）によって実行されるとき、装置７００が上記図２、図３又は図４に示される実施例における情報提供方法を実行できるようにした。
【０１５８】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【０１５９】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【国際調査報告】
2017523741.tif 000010
2017523741.tif 000011
2017523741.tif 000012
2017523741.tif 000013